(57)【要約】      （修正有）【課題】受信したフレームがグループ内で送信されたフレームかグループ外から送信されたフレームかを決定する方法を提供する。【解決手段】無線通信フレームを受信し、受信されたフレームのプリアンブルから部分ＡＩＤ（Ａｓｓｏｃｉａｔｉｏｎ  ＩＤ）情報及びグループＩＤ情報を抽出するＳ２７１０。抽出されたグループＩＤ情報が予め設定された値であるか否かを確認するＳ２７２０。抽出されたグループＩＤ情報が予め設定された値６３であれば、抽出された部分ＡＩＤの少なくとも一部の情報が端末に知られている部分ＢＳＳ（ｂａｓｉｃ  Ｓｅｒｖｉｃｅ  Ｓｅｔ）カラーと一致するのか否かを確認するＳ２７４０。部分ＡＩＤの少なくとも一部の情報と部分ＢＳＳカラーの一致可否に応じて、受信されたフレームがＢＳＳ内（ｉｎｔｒａ−ＢＳＳ）フレームであるのかＳ２７４２またはＢＳＳ外（ｉｎｔｅｒ−ＢＳＳ）フレームであるのかＳ２７４４を判断する。【選択図】図２７
2020099095.tif 000002
【特許請求の範囲】
【請求項１】
無線通信端末であって、
プロセッサと、
通信部と、を含み、
前記プロセッサは、
前記通信部を介して無線フレームを受信し、
前記受信されたフレームがＶＨＴ  ＰＰＤＵであれば、前記ＶＨＴ  ＰＰＤＵのプリアンブルから部分ＡＩＤ（Ａｓｓｏｃｉａｔｉｏｎ  ＩＤ）情報及びグループＩＤ情報を抽出し、
前記抽出されたグループＩＤ情報が予め設定された値であれば、前記抽出された部分ＡＩＤの少なくとも一部の情報が前記端末に知られている部分ＢＳＳ（Ｂａｓｉｃ  Ｓｅｒｖｉｃｅ  Ｓｅｔ）カラーと一致するのか否かを確認し、
前記部分ＡＩＤのうち少なくとも一部の情報と前記部分ＢＳＳのカラー一致可否に応じて、前記受信されたフレームがＢＳＳ内（ｉｎｔｒａ−ＢＳＳ)フレームであるのかまたはＢＳＳ外（ｉｎｔｅｒ−ＢＳＳ)フレームであるのかを判断する無線通信端末。
【請求項２】
前記部分ＡＩＤは、前記ＶＨＴ ＰＰＤＵの意図された受信者（ｒｅｃｉｐｉｅｎｔ)に割り当てられたＡＩＤ及び前記受信者が結合されたＢＳＳのＢＳＳＩＤに基づくＫ−ビット値を利用して決定され、
前記端末が属するＢＳＳが部分ＢＳＳカラービットを利用したＡＩＤ割当規則を適用する場合、前記端末が属するＢＳＳから割り当てられるＡＩＤの予め設定されたＮ−ビット（ら）は、前記端末に知られている部分ＢＳＳカラー値と前記端末が属するＢＳＳのＢＳＳＩＤに基づくＮ−ビット値を利用して決定され、
前記Ｎは前記Ｋと同じ値を有する請求項１に記載の無線通信端末。
【請求項３】
前記端末が属するＢＳＳから割り当てられるＡＩＤの予め設定されたＮ−ビット（ら）は、前記端末に知られている部分ＢＳＳカラー値から前記端末が属するＢＳＳのＢＳＳＩＤに基づくＮ−ビット値を差し引いた値に基づいて決定される請求項２に記載の無線通信端末。
【請求項４】
前記受信者が結合されたＢＳＳが部分ＢＳＳカラービットを利用したＡＩＤ割当規則を適用する場合、前記部分ＡＩＤの予め設定されたビット（ら）は、前記ＢＳＳＩＤに基づくＫ−ビット値と前記受信者が結合されたＢＳＳのＢＳＳＩＤに基づくＮ−ビット値が相殺されて前記受信者に知られている部分ＢＳＳカラー値を示す請求項３に記載の無線通信端末。
【請求項５】
前記部分ＢＳＳカラー値は、ＢＳＳカラーの最小または最大の有効Ｎ−ビット（ら）の値であり、前記ＢＳＳＩＤに基づくＮ−ビット値は、該当ＢＳＳＩＤの第１予め設定されたＮ−ビット（ら）と前記ＢＳＳＩＤの第２予め設定されたＮ−ビット（ら）の排他的論理合である請求項４に記載の無線通信端末。
【請求項６】
前記Ｎは４である請求項２に記載の無線通信端末。
【請求項７】
前記ＡＩＤは、以下の数式
【数１】
2020099095.tif 000035
を満足し、ここで、ＢＣＢはＢＳＳカラー、ＢＳＳＩＤはＢＳＳ識別子、Ｎ＝４である、
請求項２に記載の無線通信端末。
【請求項８】
前記予め設定された値のグループＩＤ情報は、前記フレームが下りフレームであることを指示する請求項１に記載の無線通信端末。
【請求項９】
前記受信されたフレームがｉｎｔｒａ−ＢＳＳフレームと判断されれば前記プロセッサは第１動作を行い、
前記受信されたフレームがｉｎｔｅｒ−ＢＳＳフレームと判断されれば前記プロセッサは第２動作を行う請求項１に記載の無線通信端末。
【請求項１０】
前記受信されたフレームがｉｎｔｒａ−ＢＳＳフレームと判断されれば、前記プロセッサは第１ＣＣＡ臨界値に基づいてチャネルの占有可否を判断し、
前記受信されたフレームがｉｎｔｅｒ−ＢＳＳフレームと判断されれば、前記プロセッサは前記第１ＣＣＡ臨界値及び前記第１ＣＣＡ臨界値と区別された第２ＣＣＡ臨界値の両方に基づいてチャネルの占有可否を判断する請求項９に記載の無線通信端末。
【請求項１１】
前記第２ＣＣＡ臨界値は、前記第１ＣＣＡ臨界値以上の値を有する請求項１０に記載の無線通信端末。
【請求項１２】
前記受信されたフレームがｉｎｔｒａ−ＢＳＳフレームと判断されれば、前記プロセッサは第１ＮＡＶ（Ｎｅｔｗｏｒｋ  Ａｌｌｏｃａｔｉｏｎ  Ｖｅｃｔｏｒ）を設定またはアップデートし、
前記受信されたフレームがｉｎｔｅｒ−ＢＳＳフレームと判断されれば、前記プロセッサは第２ＮＡＶを設定またはアップデートする請求項９に記載の無線通信端末。
【請求項１３】
無線通信端末の無線通信方法であって、
無線フレームを受信するステップと、
前記受信されたフレームがＶＨＴ  ＰＰＤＵであれば、前記ＶＨＴ  ＰＰＤＵのプリアンブルから部分ＡＩＤ情報及びグループＩＤ情報を抽出するステップと、
前記抽出されたグループＩＤ情報が予め設定された値であれば、前記抽出された部分ＡＩＤの少なくとも一部の情報が前記端末に知られている部分ＢＳＳカラーと一致するのか否かを確認するステップと、
前記部分ＡＩＤの少なくとも一部の情報と前記部分ＢＳＳカラーの一致可否に応じて、前記受信されたフレームがＢＳＳ内フレームであるのかまたはＢＳＳ外フレームであるのかを判断するステップと、
を含む無線通信方法。
【発明の詳細な説明】
【技術分野】
【０００１】
本発明は、受信されたフレームのベーシックサービスセット識別情報判断を利用した無線通信方法及び無線通信端末に関し、より詳しくは、受信されたフレームがｉｎｔｒａ−ＢＳＳフレームであるのか、またはｉｎｔｅｒ−ＢＳＳフレームであるのかの判断結果に応じて動作を行う無線通信方法及び無線通信端に関する。
【背景技術】
【０００２】
最近、モバイル機器の普及が拡大されるにつれ、それらに速い無線インターネットサービスを提供し得る無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップＰＣ、携帯型マルチメディアプレーヤー、インベデッド機器などのようなモバイル機器を家庭や企業、または特定サービス提供地域において、無線でインターネットに接続し得るようにする技術である。
【０００３】
ＩＥＥＥ（Ｉｓｔｉｔｕｔｅ  ｏｆ  Ｅｌｅｃｔｒｏｎｉｃｓ  Ｅｎｇｉｎｅｅｒｓ）  ８０２．１１は、２．４ＧＨのｚ周波数を利用した初期の無線ＬＡＮ技術を支援した以来、多様な技術の標準を実用化または開発中である。まず、ＩＥＥＥ  ８０２．１１ｂは２．４ＧＨｚバンドの周波数を使用し、最高１１Ｍｂｐｓの通信速度を支援する。ＩＥＥＥ  ８０２．１１ｂの後に商用化されたＩＥＥＥ  ８０２．１１ａは２．４ＧＨｚバンドではなく５ＧＨｚバンドの周波数を使用することで、相当混雑した２．４ＧＨｚバンドの周波数に比べ干渉への影響を減らしており、ＯＦＤＭ技術を使用して通信速度を最大５４Ｍｂｐｓまで向上させている。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの週は酢を使用して最大５４Ｍｐｂｓの通真相度を具現し、下位互換性（ｂａｃｋｗａｒｄ  ｃｏｍｐａｔｉｂｉｌｉｔｙ)を満足していて相当な注目を浴びたが、通信距離においてもＩＥＥＥ  ８０２．１１ａより優位にある。
【０００４】
そして、無線ＬＡＮで脆弱点として指摘されていた通信速度に関する限界を克服するために制定された技術規格として、ＩＥＥＥ  ８０２．１１ｎがある。ＩＥＥＥ  ８０２．１１ｎはネットワークの速度と信頼性を増加させ、無線ネットワークの運営距離を拡張するのにその目的がある。詳しくは、ＩＥＥＥ  ８０２．１１ｎではデータ処理速度が最大５４０Ｍｂｐｓ以上の高処理率（Ｈｉｇｈ  Ｔｈｒｏｕｇｈｐｕｔ、ＨＴ）を支援し、また、伝送エラーを最小化しデータの速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を複数個伝送するコーディング方式を使用している。
【０００５】
無線ＬＡＮの普及が活性化され、また、それを使用したアプリケーションが多様化するにつれ、ＩＥＥＥ  ８０２．１１ｎが支援するデータの処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要性が台頭している。そのうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されているが、従来の２．４ＧＨｚ帯域の製品との下位互換性のために、初期１１ａｃチップセットは２．４ＧＨｚ帯域での動作も支援すると考えられる。理論的に、この規格によると多重ステーションの無線ＬＡＮの速度は最小１Ｇｂｐｓ、最大単一リンク速度は最小５００Ｍｂｐｓまで可能になる。これはより広い無線周波数帯域幅（最大１６０ＭＨｚ）、より多いＭＩＭＯ空間的ストリーム（最大８個）、マルチユーザＭＩＭＯ、そして、高い密度の変調（最大２５６ＱＡＭ）など、８０２．１１ｎで受け入れられた無線インタフェースの概念を拡張して行われる。また、従来の２４ＧＨｚ／５ＧＨｚに代わって６０ＧＨｚバンドを利用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど、高いビットレート動画のストリーミングに適合している。しかし、６０ＧＨｚ周波数バンドは障害物の通過が難しく、近距離空間でのデバイスの間でのみ利用可能な短所がある。
【０００６】
一方、最近は８０２．１１ａｃ及び８０２．１１ａｄ以降の次世代無線ＬＡＮの標準として、高密度環境での高効率及び高性能の無線ＬＡＮ通信技術を提供するための論議が続けられている。つまり、次世代無線ＬＡＮ環境では高密度のステーションとＡＰ（Ａｃｃｅｓｓ  Ｐｏｉｎｔ）の存在下、室内外で高い周波数効率通信が提供されるべきであり、それを具現するために多様な技術が必要となる。
【発明の概要】
【０００７】
本発明の実施例によると、不連続チャネル割当情報を効率的にシグナリングすることができる。
【０００８】
また、本発明は、ＢＳＳ内のＳＴＡのＡＩＤの割り当てのためのルールを設定するための目的を持っている。
【０００９】
また、本発明は、ＶＨＴ  ＰＰＤＵの部分AID情報を利用した ｉｎｔｒａ／ｉｎｔｅｒ−ＢＳＳ 判断時に発生することがあるあいまいさを防止するための目的を持っている。
【課題を解決するための手段】
【００１０】
前記のような課題を解決するために、本発明は以下のような端末の無線通信方法及び無線通信端末を提供する。
【００１１】
まず、本発明の実施例によると、ベース無線通信端末として、プロセッサと、通信部と、を含み、前記プロセッサは、前記ベース無線通信端末と結合する少なくとも一つの端末にＡＩＤ（Ａｓｓｏｃｉａｔｉｏｎ  ＩＤ）を割り当てるが、前記ＡＩＤの予め設定されたＮ−ビット（ら）は部分ＢＳＳ（Ｂａｓｉｃ  Ｓｅｒｖｉｃｅ  Ｓｅｔ）カラー値からＢＳＳＩＤに基づくＮ−ビット値を差し引いた値に基づいて決定されるベース無線通信端末が提供される。
【００１２】
また、本発明の実施例によると、ベース無線通信端末の無線通信方法として、前記ベース無線通信端末と結合する少なくとも一つの端末にＡＩＤを割り当てるステップと、割り当てられた前記ＡＩＤ情報を前記ベース無線通信端末と結合された端末に伝送するステップと、を含むが、前記ＡＩＤの予め設定されたＮ−ビット（ら）は部分ＢＳＳカラー値からＢＳＳＩＤに基づくＮ−ビット値を差し引いた値に基づいて決定されるベース無線通信方法が提供される。
【００１３】
前記部分ＢＳＳカラー値は、ＢＳＳカラーの最小または最大の有効Ｎ−ビット（ら）の値であり、前記ＢＳＳＩＤに基づくＮ−ビット値は、ＢＳＳＩＤの第１予め設定されたＮ−ビット（ら）とＢＳＳＩＤの第２予め設定されたＮ−ビット（ら）の排他的論理合である。
【００１４】
本発明の実施例によると、前記Ｎは４である。
【００１５】
本発明の実施例によると、前記ＡＩＤは以下の数式を満足する。
【００１６】
【数１】
2020099095.tif 000003
【００１７】
ここで、ＢＣＢはＢＳＳカラー、ＢＳＳＩＤはＢＳＳ識別子、Ｎ＝４。
【００１８】
前記ベース無線通信端末が第１端末にＶＨＴ  ＰＰＤＵを伝送する場合、前記プロセッサは、前記差引演算によって決定された第１端末のＡＩＤ情報及びＢＳＳＩＤに基づくＫ−ビット値を利用して部分ＡＩＤを設定し、設定された前記部分ＡＩＤ情報を前記ＶＨＴ  ＰＰＤＵのプリアンブルに挿入して伝送する。
【００１９】
前記部分ＡＩＤの予め設定されたＮ−ビット（ら）は、前記ＢＳＳＩＤに基づくＮ−ビット値と前記ＢＳＳＩＤに基づくＫ−ビット値が相殺されて前記部分ＢＳＳカラー値を示す。
【００２０】
前記部分ＡＩＤ情報は、前記ＶＨＴ  ＰＰＤＵのＶＨＴ−ＳＩＧ−Ａに挿入される。
【００２１】
また、本発明の他の実施例によると、無線通信端末として、プロセッサと、通信部と、を含み、前記プロセッサは、前記通信部を介して無線通信フレームを受信し、前記受信されたフレームがＶＨＴ  ＰＰＤＵであれば、前記ＶＨＴ  ＰＰＤＵのプリアンブルから部分ＡＩＤ情報及びグループＩＤ情報を抽出し、前記抽出されたグループＩＤ情報が予め設定された値であれば、前記抽出された部分ＡＩＤの少なくとも一部の情報が前記端末に知られている部分ＢＳＳカラーと一致するのか否かを確認し、前記部分ＡＩＤの少なくとも一部の情報と前記部分ＢＳＳカラーの一致可否に応じて、前記受信されたフレームがＢＳＳ内（ｉｎｔｒａ−ＢＳＳ）フレームであるのかまたはＢＳＳ外（ｉｎｔｅｒ−ＢＳＳ）フレームであるのかを判断する無線通信端末が提供される。
【００２２】
また、本発明のまた他の実施例によると、無線通信端末の無線通信方法として、無線フレームを受信するステップと、前記受信されたフレームがＶＨＴ  ＰＰＤＵであれば、前記ＶＨＴ  ＰＰＤＵのプリアンブルから部分ＡＩＤ情報及びグループＩＤ情報を抽出するステップと、前記抽出されたグループＩＤ情報が予め設定された値であれば、前記抽出された部分ＡＩＤの少なくとも一部の情報が前記端末に知られている部分ＢＳＳカラーと一致するのか否かを確認するステップと、前記部分ＡＩＤの少なくとも一部の情報と前記部分ＢＳＳカラーの一致可否に応じて、前記受信されたフレームがＢＳＳ内フレームであるのかまたはＢＳＳ外フレームであるのかを判断するステップと、を含む無線通信方法が提供される。
【００２３】
前記部分ＡＩＤは、前記ＶＨＴ  ＰＰＤＵの意図された受信者（ｒｅｃｉｐｉｅｎｔ)に割り当てられたＡＩＤ及び前記受信者が結合されたＢＳＳのＢＳＳＩＤに基づくＫ−ビット値を利用して決定され、前記端末が属するＢＳＳが部分ＢＳＳカラービットを利用したＡＩＤ割当規則を適用する場合、前記端末が属するＢＳＳから割り当てられるＡＩＤの予め設定されたＮ−ビット（ら）は、前記端末に知られている部分ＢＳＳカラー値と前記端末が属するＢＳＳのＢＳＳＩＤに基づくＮ−ビット値を利用して決定され、前記Ｎは前記Ｋと同じ値を有する。
【００２４】
前記端末が属するＢＳＳから割り当てられるＡＩＤの予め設定されたＮ−ビット（ら）は、前記端末に知られている部分ＢＳＳカラー値から前記端末が属するＢＳＳのＢＳＳＩＤに基づくＮ−ビット値を差し引いた値に基づいて決定される。
【００２５】
前記受信者が結合されたＢＳＳが部分ＢＳＳカラービットを利用したＡＩＤ割当規則を適用する場合、前記部分ＡＩＤの予め設定されたビット（ら）は、前記ＢＳＳＩＤに基づくＫ−ビット値と前記受信者が結合されたＢＳＳのＢＳＳＩＤに基づくＮ−ビット値が相殺されて前記受信者に知られている部分ＢＳＳカラー値を示す。
【００２６】
前記部分ＢＳＳカラー値は、ＢＳＳカラーの最小または最大の有効Ｎ−ビット（ら）の値であり、前記ＢＳＳＩＤに基づくＮ−ビット値は、該当ＢＳＳＩＤの第１予め設定されたＮ−ビット（ら）と前記ＢＳＳＩＤの第２予め設定されたＮ−ビット（ら）の排他的論理合である。
【００２７】
本発明の実施例によると、前記Ｎは４である。
【００２８】
本発明の実施例によると、前記ＡＩＤは以下の数式を満足する。
【００２９】
【数２】
2020099095.tif 000004
【００３０】
ここで、ＢＣＢはＢＳＳカラー、ＢＳＳＩＤはＢＳＳ識別子、Ｎ＝４。
【００３１】
前記予め設定された値のグループＩＤ情報は、前記フレームが下りフレームであることを指示する。
【００３２】
前記受信されたフレームがｉｎｔｒａ−ＢＳＳフレームと判断されれば前記プロセッサは第１動作を行い、前記受信されたフレームがｉｎｔｅｒ−ＢＳＳフレームと判断されれば前記プロセッサは第２動作を行う。
【００３３】
前記受信されたフレームがｉｎｔｒａ−ＢＳＳフレームと判断されれば前記プロセッサは第１ＣＣＡ臨界値に基づいてチャネルの占有可否を判断し、前記受信されたフレームがｉｎｔｅｒ−ＢＳＳフレームと判断されれば前記プロセッサは前記第１ＣＣＡ臨界値及び前記第１ＣＣＡ臨界値と区別された第２ＣＣＡ臨界値の両方に基づいてチャネルの占有可否を判断する。
【００３４】
前記第２ＣＣＡ臨界値は、前記第１ＣＣＡ臨界値以上の値を有する。
【００３５】
前記受信されたフレームがｉｎｔｒａ−ＢＳＳフレームと判断されれば前記プロセッサは第１ＮＡＶ（Ｎｅｔｗｏｒｋ  Ａｌｌｏｃａｔｉｏｎ  Ｖｅｃｔｏｒ）を設定またはアップデートし、前記受信されたフレームがｉｎｔｅｒ−ＢＳＳフレームと判断されれば前記プロセッサは第２ＮＡＶを設定またはアップデートする。
【発明の効果】
【００３６】
本発明の実施例によると、ＶＨＴ  ＰＰＤＵの部分ＡＩＤの少なくとも一部の情報が部分ＢＳＳカラー値を示すことで、効率的なｉｎｔｒａ／ｉｎｔｅｒ−ＢＳＳフレームの判断を行うことができる。
【００３７】
より詳しくは、本発明の実施例によると、ＶＨＴ  ＰＰＤＵを受信した端末は追加的な情報を獲得するか計算を行う必要なく、部分ＡＩＤ情報を利用してｉｎｔｒａ−ＢＳＳフレームとｉｎｔｅｒ−ＢＳＳフレームの判断を行うことができる。
【００３８】
また、本発明の実施例によると、受信されたフレームがｉｎｔｅｒ−ＢＳＳフレームと判断されれば、空間的再使用動作を行うことで無線資源を効率的に使用することができる。
【００３９】
本発明の実施例によると、競争基盤チャネル接近システムにおいて、全体資源の使用率を増加させ、無線ＬＡＮシステムの性能を向上させることができる。
【図面の簡単な説明】
【００４０】
【図１】本発明の一実施例による無線ＬＡＮシステムを示す図である。
【図２】本発明の他の実施例による無線ＬＡＮシステムを示す図である。
【図３】本発明の一実施例によるステーションの構成を示す図である。
【図４】本発明の一実施例によるアクセスポイントの構成を示す図である。
【図５】ＳＴＡがＡＰとリンクを設定する過程を概略的に示す図である。
【図６】無線ＬＡＮ通信で使用されるＣＳＭＡ（Ｃａｒｒｉｅｒ  Ｓｅｎｓｅ  Ｍｕｌｔｉｐｌｅ  Ａｃｃｅｓｓ）／ＣＡ（Ｃｏｌｌｉｓｉｏｎ  Ａｖｏｉｄａｎｃｅ）方法を示す図である。
【図７】本発明の一実施例によるＶＨＴ−ＳＩＧ−Ａ１とＶＨＴ−ＳＩＧ−Ａ２の構造を示す図である。
【図８】本発明の一実施例によるグループＩＤ及び部分ＡＩＤの設定方法を示す表である。
【図９】本発明の一実施例によるノンレガシーエレメントフォーマットを示す図である。
【図１０】本発明の一実施例による部分ＡＩＤの算出過程を示す図である。
【図１１】本発明の一実施例による部分ＡＩＤの算出過程をより詳細に示す図である。
【図１２】本発明の第１実施例によるｉｎｔｒａ−ＢＳＳフレームとｉｎｔｅｒ−ＢＳＳフレームの判断方法を示す図である。
【図１３】本発明の第２実施例によるｉｎｔｒａ−ＢＳＳフレームとｉｎｔｅｒ−ＢＳＳフレームの判断方法を示す図である。
【図１４】本発明の実施例によってｉｎｔｒａ／ｉｎｔｅｒ−ＢＳＳフレームを判断するための参照値を算出する過程及び部分ＡＩＤを算出する過程を示す図である。
【図１５】本発明の他の実施例によるノンレガシーエレメントフォーマットを示す図である。
【図１６】本発明の他の実施例による部分ＢＳＳカラービット個数情報及び曖昧性情報シグなリング方法を示す図である。
【図１７】本発明の第２実施例によるＡＩＤ割当情報及びノンレガシーエレメントフォーマットを示す図である。
【図１８】本発明の第３実施例によるＡＩＤ割当方法を示す図である。
【図１９】本発明の第４実施例によるＡＩＤ割当方法を示す図である。
【図２０】本発明の第５実施例によるＡＩＤ割当方法を示す図である。
【図２１】本発明の第５実施例によるＡＩＤ割当方法を示す図である。
【図２２】本発明の第３実施例によるｉｎｔｒａ−ＢＳＳフレームとｉｎｔｅｒ−ＢＳＳフレームの判断方法を示す図である。
【図２３】本発明のまた他の実施例によるノンレガシーエレメントフォーマットを示す図である。
【図２４】本発明の第６実施例によるＡＩＤ割当方法を示す図である。
【図２５】本発明の更に他の実施例によるノンレガシーエレメントフォーマットを示す図である。
【図２６】本発明の第７実施例によるＡＩＤ割当方法を示す図である。
【図２７】本発明の第4実施例によるｉｎｔｒａ−ＢＳＳフレームとｉｎｔｅｒ−ＢＳＳフレームの判断方法を示す図である。
【発明を実施するための形態】
【００４１】
本明細書で使用される用語は、本発明での機能を考慮してできる限り現在広く使用されている一般的案用語を選択しているが、これは該当技術分野に携わる技術者の意図、慣例、または新たな技術の出現などによって異なり得る。また、特定の場合は出願人が任意に選定した用語もあり、このような場合は該当する発明の説明部分でその意味を記載する。よって、本明細書で使用される用語は単なる用語の名称ではなく、その用語が有する実質的な意味と本明細書全般にわたる内容に基づいて解釈すべきであることを明らかにする。
【００４２】
明細書全体にわたって、ある構成が他の構成と「連結」されているとすると、これは「直接連結」されている場合だけでなく、その中間に他の構成要素を間に挟んで「電気的に連結」されている場合も含む。また、ある構成要素が特定の構成要素を「含む」とすると、これは特に反対する記載がない限り、他の構成要素を除くのではなく他の構成要素を更に含み得ることを意味する。加えて、特定臨界値を基準に「以上」または「以下」という限定事項は、実施例によってそれぞれ「超過」または「未満」に適切に代替され得る。
【００４３】
本出願は、韓国特許出願第１０−２０１６-００４０５５１号、第１０−２０１６-００９３８１２号、及び第１０−２０１６-０１０２２２９号に基づいた優先権を主張し、優先権の基礎となる前記各出願に述べられた実施例及び記載事項は、本出願の詳細な説明に含まれるとする。
【００４４】
図１は、本発明の一実施例による無線ＬＡＮシステムを示す図である。無線ＬＡＮシステムは、一つまたはそれ以上のベーシックサービスセット（Ｂａｓｉｃ  Ｓｅｒｖｉｃｅ  Ｓｅｔ、ＢＳＳ）を含むが、ＢＳＳは同期化に成功し互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００４５】
図１に示したように、インフラストラクチャＢＳＳ（ＢＳＳ１、ＢＳＳ２）は、一つ以上のステーション（ＳＴＡ１、ＳＴＡ２、ＳＴＡ３、ＳＴＡ４、ＳＴＡ５）、分配サービス（Ｄｉｓｔｒｉｂｕｔｉｏｎ  Ｓｅｒｖｉｃｅ）を提供するステーションであるアクセスポイント（ＰＣＰ／ＡＰ−１、ＰＣＰ／ＡＰ−２）、及び多数のアクセスポイント（ＰＣＰ／ＡＰ−１、ＰＣＰ／ＡＰ−２）を連結する分配システム（Ｄｉｓｔｒｉｂｕｔｉｏｎ  Ｓｙｓｔｅｍ、ＤＳ）を含む。
【００４６】
ステーション（Ｓｔａｔｉｏｎ、ＳＴＡ）は、ＩＥＥＥ  ８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インタフェースを含む任意のディバイスであって、広い意味では非アクセスポイントｎｏｎ−ＡＰステーションのみならずアクセスポイントＡＰを全て含む。また、本明細書において、「端末」とはｎｏｎ−ＡＰまたはＡＰを指すか、両者を全て指す用語として使用される。無線通信のためのステーションはプロセッサと通信部を含み、実施例によってユーザインタフェース部とディスプレーユニットなどを更に含む。プロセッサは無線ネットワークを介して伝送するフレームを生成するか、または前記無線ネットワークを介して受信されたフレームを処理し、その他にステーションを制御するための多様な処理を行う。そして、通信部は前記プロセッサと機能的に連結されており、ステーションのために無線ネットワークを介してフレームを送受信する。本発明において、端末はユーザ端末機（ｕｓｅｒ  ｅｑｕｉｐｍｅｎｔ、ＵＥ）を含む用語として使用される。
【００４７】
アクセスポイント（Ａｃｃｅｓｓ  Ｐｏｉｎｔ、ＡＰ）は、自らに結合された（ａｓｓｏｃｉａｔｅｄ）ステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定されている場合は非ＡＰステーションの間でも直接通信が可能である。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含む概念として使用されるが、広い意味では集中制御器、基地局（Ｂａｓｅ  Ｓｔａｔｉｏｎ、ＢＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。本発明において、ＡＰはベース無線通信端末とも称されるが、ベース無線通信端末は、広い意味ではＡＰ、ベースステーション（ｂａｓｅ  ｓｔａｔｉｏｎ）、ｅＮＢ（ｅＮｏｄｅＢ）、及びトランスミッションポイントＴＰを全て含む用語として使用される。それだけでなく、ベース無線通信端末は複数の無線通信端末との通信で通信媒介体（ｍｅｄｉｕｍ)資源を割り当て、スケジューリング（ｓｃｈｅｄｕｌｉｎｇ）を行う多様な形態の無線通信端末を含む。
【００４８】
複数のインフラストラクチャＢＳＳは、分配システムＤＳを介して互いに連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）という。
【００４９】
図２は、本発明の他の実施例による無線ＬＡＮシステムである独立ＢＳＳを示す図である。図２の実施例において、図１の実施例と同じであるか相応する部分は重複する説明を省略する。
【００５０】
図２に示したＢＳＳ３は独立ＢＳＳであってＡＰを含まないため、全てのステーション（ＳＴＡ６、ＳＴＡ７）がＡＰと接続されていない状態である。独立ＢＳＳは分配システムへの接続が許容されず、自己完備的ネットワーク（ｓｅｌｆ−ｃｏｎｔａｉｎｅｄ  ｎｅｔｗｏｒｋ)をなす。独立ＢＳＳにおいて、それぞれのステーション（ＳＴＡ６、ＳＴＡ７）はダイレクトに互いに連結される。
【００５１】
図３は、本発明の一実施例によるステーション１００の構成を示すブロック図である。図示したように、本発明の実施例によるステーション１００は、プロセッサ１１０、通信部１２０、ユーザインタフェース部１４０、ディスプレーユニット１５０、及びメモリ１６０を含む。
【００５２】
まず、通信部１２０は無線ＬＡＮパケットなどの無線信号を送受信し、ステーション１００に内蔵されるか外装されて備えられる。実施例によると、通信部１２０は互いに異なる周波数バンドを利用する少なくとも一つの通信モジュールを含む。例えば、前記通信部１２０は２．４ＧＨｚ、５ＧＨｚ、及び６０ＧＨｚなどの互いに異なる周波数バンドの通信モジュールを含む。一実施例によると、ステーション１００は６ＧＨｚ以上の周波数バンドを利用する通信モジュールと、６ＧＨｚ以下の周波数バンドを利用する通信モジュールを備える。それぞれの通信モジュールは、該当通信モジュールが支援する周波数バンドの無線ＬＡＮの規格に応じて、ＡＰまたは外部ステーションと無線通信を行う。通信部１２０は、ステーション１００の性能及び要求事項に応じて一度に一つの通信モジュールのみを動作させるか、同時に多数の通信モジュールを共に動作させてもよい。ステーション１００が複数の通信モジュールを含む場合、各通信モジュールはそれぞれ独立した形態に備えられてもよく、複数のモジュールが一つのチップに統合されて備えられてもよい。本発明の実施例において、通信部１２０はＲＦ（Ｒａｄｉｏ  Ｆｒｅｑｕｅｎｃｙ）信号を処理するＲＦ通信モジュールを示す。
【００５３】
次に、ユーザインタフェース１４０は、ステーション１００に備えられた多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は、多様な出力手段を利用してプロセッサ１１０の命令に基づいた出力を行う。
【００５４】
次に、ディスプレーユニット１５０は、ディスプレー画面にイメージを出力する。前記ディスプレーユニット１５０は、プロセッサ１１０によって行われるコンテンツ、またはプロセッサン１１０の制御命令に基づいたユーザインタフェースなどの多様なディスプレーオブジェクトを出力する。また、メモリ１６０は、ステーション１００で使用される制御プログラム及びそれによる各種データを貯蔵する。このような制御プログラムには、ステーション１００がＡＰまたは外部のステーションと接続を行うのに必要な接続プログラムが含まれる。
【００５５】
本発明のプロセッサ１１０は多様な命令またはプログラムを行い、ステーション１００内部のデータをプロセッシングする。また、前記プロセッサ１１０は上述したステーション１００の各ユニットを制御し、ユニット間のデータの送受信の制御する。本発明の実施例によると、プロセッサ１１０はメモリ１６０に貯蔵されたＡＰとの接続のためのプログラムを行い、ＡＰが伝送した通信設定メッセージを受信する。また、プロセッサ１１０は通信設定メッセージに含まれたステーション１００の優先条件に関する情報を読み取り、ステーション１００の優先条件に関する情報に基づいてＡＰに関する接続を要請する。本発明のプロセッサ１１０はステーション１００のメインコントロールユニットを指してもよく、実施例によってステーション１００の一部の構成、例えば、通信部１２０などを個別的に制御するためのコントロールユニットを指してもよい。つまり、プロセッサ１１０は通信部１２０から送受信される無線信号を変復調するモデム、または変復調部（ｍｏｄｕｌａｔｏｒ  ａｎｄ／ｏｒ  ｄｅｍｏｄｕｌａｔｏｒ）であってもよい。プロセッサ１１０は、本発明の実施例によるステーション１００の無線信号送受信の各種動作を制御する。それに関する詳しい実施例は後述する。
【００５６】
図３に示したステーション１００は本発明の一実施例によるブロック図であって、分離して示したブロックはディバイスのエレメントを論理的に区別して示したものである。よって、上述したディバイスのエレメントは、ディバイスの設計に応じて一つのチップまたは複数のチップに取り付けられる。例えば、前記プロセッサ１１０及び通信部１２０は一つのチップに統合されて具現されてもよく、別途のチップで具現されてもよい。また、本発明の実施例において、前記ステーション１００の一部の構成、例えば、ユーザインタフェース部１４０及びディスプレーユニット１５０などはステーション１００に選択的に備えられてもよい。
【００５７】
図４は、本発明の一実施例によるＡＰ２００の構成を示すブロック図である。図示したように、本発明の実施例によるＡＰ２００は、プロセッサ２１０、通信部２２０、及びメモリ２６０を含む。図４において、ＡＰ２００の構成のうち図３のステーション１００の構成と同じであるか相応する部分については重複する説明を省略する。
【００５８】
図４を参照すると、本発明によるＡＰ２００は少なくとも一つの周波数バンドでＢＳＳを運営するための通信部２２０を備える。図３の実施例で述べたように、前記ＡＰ２００の通信部２２０も互いに異なる周波数バンドを利用する複数の通信モジュールを含む。つまり、本発明の実施例によるＡＰ２００は互いに異なる周波数バンド、例えば２．４ＧＨｚ、５ＧＨｚ、６０ＧＨｚのうち２つ以上の通信のジュールを共に備える。好ましくは、ＡＰ２００は６ＧＨｚ以上の周波数バンドを利用する通信モジュールと、６ＧＨｚ以下の周波数バンドを利用する通信モジュールを備える。それぞれの通信モジュールは、該当通信モジュールが支援する周波数バンドの無線ＬＡＮの規格に従ってステーションと無線通信を行う。前記通信部２２０は、ＡＰ２００の性能及び要求事項に応じて一度に一つの通信モジュールのみを動作させるか、同時に多数の通信モジュールを共に動作させてもよい。本発明の実施例において、通信部２２０はＲＦ信号を処理するＲＦ通信モジュールを示す。
【００５９】
次に、メモリ２６０は、ＡＰ２００で使用される制御プログラム及びそれによる各種データを貯蔵する。このような制御プログラムには、ステーションの接続を管理する接続プログラムが含まれる。また、プロセッサ２１０はＡＰ２００の各ユニットを制御し、ユニット間のデータの送受信の制御する。本発明の実施例によると、プロセッサ２１０はメモリ２６０に貯蔵されたステーションとの接続のためのプログラムを行い、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は通信部２２０から送受信される無線信号を変復調するモデム、または変復調部である。プロセッサ２１０は、本発明の実施例によるＡＰ２００の無線信号送受信の各種動作を制御する。それに関する詳しい実施例は後述する。
【００６０】
図５は、ＳＴＡがＡＰとリンクを設定する過程を概略的に示す図である。
【００６１】
図５を参照すると、ＳＴＡ１００とＡＰ２００間のリンクは大きくスキャニング（ｓａｎｎｉｎｇ）、認証（ａｕｔｈｅｎｔｉｃａｔｉｏｎ）、及び結合（ａｓｓｏｃｉａｔｉｏｎ）の３つのステップを介して設定される。まず、スキャニングステップは、ＡＰ２００が運営するＢＳＳの接続情報をＳＴＡ１００が獲得するステップである。スキャニングを行うための方法としては、ＡＰ２００が周期的に伝送するビーコン（ｂｅａｃｏｎ）メッセージＳ１０１のみを活用して情報を獲得するパッシブスキャニング（ｐａｓｓｉｖｅ  ｓａｎｎｉｎｇ）方法と、ＳＴＡ１００がＡＰにプローブ要請（ｐｒｏｂｅ  ｒｅｑｕｅｓｔ）を伝送しＳ１０３、ＡＰからプローブ応答（ｐｒｏｂｅ  ｒｅｓｐｏｎｓｅ）を受信してＳ１０５、接続情報を獲得するアクティブスキャニング（ａｃｔｉｖｅ  ｓａｎｎｉｎｇ）方法がある。
【００６２】
スキャニングステップにおいて無線接続情報の受信に成功したＳＴＡ１００は、認証要請（ａｕｔｈｅｎｔｉｃａｔｉｏｎ  ｒｅｑｕｅｓｔ）を伝送しＳ１０７ａ、ＡＰ２００から認証応答（ａｕｔｈｅｎｔｉｃａｔｉｏｎ  ｒｅｓｐｏｎｓｅ）を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ）を伝送しＳ１０９ａ、ＡＰ２００から結合応答（ａｓｓｏｃｉａｔｉｏｎ  ｒｅｓｐｏｎｓｅ）を受信してＳ１０９ｂ、結合ステップを行う。本明細書において、結合とは基本的に無線結合を意味するが、本発明はこれに限らず、広い意味での結合は無線結合及び有線結合を全て含む。
【００６３】
一方、追加に８０２．１Ｘ基盤の認証ステップＳ１１１、及びＤＨＣＰを介したＩＰアドレス獲得ステップＳ１１３が行われる。図５において、サーバ３００はＳＴＡ１００と８０２．１Ｘ基盤の認証を処理するサーバであって、ＡＰ２００に物理的に結合されて存在するか、別途のサーバとして存在してもよい。
【００６４】
図６は、無線ＬＡＮ通信で使用されるＣＳＭＡ／ＣＡ方法を示す図である。
【００６５】
無線ＬＡＮ通信を行う端末は、データを伝送する前にキャリアセンシング（Ｃａｒｒｉｅｒ  Ｓｅｎｓｉｎｇ）を行ってチャネルが占有状態（ｂｕｓｙ)であるのか否かをチェックする。もし、一定強度以上の無線信号が感知される場合、該当チャネルが占有状態であると判別し、前記端末は該当チャネルに対するアクセスを遅延する。このような過程をクリアチャネル割当（Ｃｌｅａｒ  Ｃｈａｎｎｅｌ  Ａｓｓｅｓｓｍｅｎｔ、ＣＣＡ）といい、該当信号感知有無を決定するレベルをＣＣＡ臨界値（ＣＣＡ  ｔｈｒｅｓｈｏｌｄ)という。もし端末に受信されたＣＣＡ臨界値以上の無線信号が該当端末を受信者とする場合、端末は受信された無線信号を処理するようになる。一方、該当チャネルで無線信号が感知されないかＣＣＡ臨界値より小さい強度の無線信号が感知される場合、前記チャネルは遊休状態（ｉｄｌｅ)と判別される。
【００６６】
チャネルが遊休状態と判別されると、伝送するデータがある各端末は、各端末の状況に応じたＩＦＳ（Ｉｎｔｅｒ  Ｆｒａｍｅ  Ｓｐａｃｅ）、例えば、ＡＩＦＳ（Ａｒｂｉｔｒａｔｉｏｎ  ＩＦＳ）、ＰＩＦＳ（ＰＣＦ  ＩＦＳ）などの時間の後にバックオフ手順を行う。実施例によって、前記ＡＩＦＳは従来のＤＩＦＳ（ＤＣＦ  ＩＦＳ）に代替する構成で使用されてもよい。各端末は、該当端末に決定された乱数（ｒａｎｄｏｍ  ｎｕｍｂｅｒ)だけのスロットタイムを前記チャネルの遊休状態の間隔（ｉｎｔｅｒｖａｌ)の間に減少させながら待機するが、スロットタイムを全て消尽した端末が該当チャネルに対するアクセスを試みるようになる。このように、各端末がバックオフ手順を行う区間を競争ウィンドウ区間という。
【００６７】
もし、特定端末が前記チャネルへのアクセスに成功すると、該当端末は前記チャネルを介してデータを伝送する。しかし、アクセスを試みた端末が他の端末と衝突すると、衝突した端末はそれぞれ新たな乱数を割り当てられて更にバックオフ手順を行う。一実施例によると、各端末に新たに割り当てられる乱数は、該当端末が以前に割り当てられた乱数の範囲（競争ウィンドウ、ＣＷ）の２倍の範囲（２＊ＣＷ）内で決定される。一方、各端末は次の競争ウィンドウ区間で更にバックオフを行ってアクセスを試みるが、この際、各端末は以前の競争ウィンドウ区間で残ったスロットタイムからバックオフ手順を行う。このような方法で、無線ＬＡＮ通信を行う各端末は特定チャネルに関する互いの衝突を回避することができる。
【００６８】
図７は、本発明の一実施例によるＶＨＴ−ＳＩＧ−Ａ１とＶＨＴ−ＳＩＧ−Ａ２の構造を示す図である。ＶＨＴ  ＰＰＤＵ（ＰＨＹ  Ｐｒｏｔｏｃｏｌ  Ｄａｔａ  Ｕｎｉｔ）のプリアンブルはＶＨＴ−ＳＩＧ−Ａフィールドを含み、ＶＨＴ−ＳＩＧ−ＡはＶＨＴ−ＳＩＧ−Ａ１及びＶＨＴ−ＳＩＧ−Ａ２からなる。ＶＨＴ−ＳＩＧ−Ａ１及びＶＨＴ−ＳＩＧ−Ａ２は、ＶＨＴ  ＰＰＤＵを解釈するのに必要な情報を伝達する。
【００６９】
図７を参照すると、ＳＵ（ｓｉｎｇｌｅ−ｕｓｅｒ）  ＰＰＤＵのＶＨＴ−ＳＩＧ−Ａ１は９−ｂｉｔｓの部分ＡＩＤフィールドを含む。部分ＡＩＤフィールドは、該当ＰＳＤＵの意図された受信者に対する縮約した情報を示す。ＶＨＴ−ＳＩＧ−Ａ１グループのＩＤフィールドは、ＳＵ  ＰＰＤＵであれば０または６３に設定され、ＭＵ（ｍｕｌｔｉ−ｕｓｅｒ）  ＰＰＤＵであればそれ以外の値に設定される。端末は受信されたＶＨＴ  ＰＰＤＵの部分ＡＩＤ（または、部分ＡＩＤ及びグループＩＤ）を確認し、該当ＰＰＤＵの意図された受信者が前記端末でなければデコーディングを中断する。
【００７０】
以下、各図面を参照して、本発明の実施例による部分ＡＩＤ及びＡＩＤ設定方法を説明する。説明の便宜上、各数式及び記号を定義すると以下のようである。本発明の実施例によると、それぞれの数式において「［］」と「（）」はそれぞれ置換されて使用されてもよく、同じ意味を有する。
【００７１】
−Ａ［ｂ：ｃ］は、「Ａ」のビットｂからビットｃまでのビットを示す。本発明の実施例によると、「Ａ」の最初のビットは０であってもよく、Ａ［ｂ：ｃ］は「Ａ」のｂ＋１番目のビットからｃ＋１番目のビットを示す。
【００７２】
−ｄｅｃ（Ａ［ｂ：ｃ］）は、「Ａ」のビットｂからビットｃを十進数で表した値を示す。この際、「Ａ」のビットｂの値は２＾０にスケーリングされ、「Ａ」のビットｃの値は２＾（ｃ−ｂ）にスケーリングされる。ｄｅｃ（Ａ［ｂ：ｃ］）とＡ［ｂ：ｃ］は情報の表現方式のみ異なるだけで、実質的に同じ値を示す。
【００７３】
−ｂｉｎ［ｘ，Ｎ］は、「ｘ」をＮビットの二進数で表した値を示す。
【００７４】
−Ｂ（Ｘ）は、ビット位置Ｘのビットを示す。
【００７５】
−ＸＯＲは、ビット間の排他的論理合を指す。
【００７６】
−Ａ  ｍｏｄ  Ｘは、「Ａ」をモデューロ（ｍｏｄｕｌｏ）  Ｘ演算した結果を示す。本発明の実施例によると、Ａが負数であってもＡ  ｍｏｄ  Ｘの結果値は正数である。例えば、５  ｍｏｄ  ３は２であり、−５  ｍｏｄ  ３は１である。
【００７７】
図８は、本発明の一実施例によるグループＩＤ及び部分ＡＩＤの設定方法を示す表である。
【００７８】
まず、ＡＰに向かうＰＰＤＵまたはＰＳＤＵにおいて、グループＩＤは０に、部分ＡＩＤはＢＳＳＩＤ［３９：４７］に設定される。ＢＳＳＩＤは該当ＰＰＤＵまたはＰＳＤＵを伝送する端末が属するＢＳＳの識別子を示す。このように、ＢＳＳＩＤの一部の情報が上りフレームの部分ＡＩＤと設定されるため、上りフレームの部分ＡＩＤはＢＳＳ識別力を有するようになる。
【００７９】
次に、メッシュＳＴＡに向かうＰＰＤＵまたはＳＰＤＵにおいて、グループＩＤは０に、部分ＡＩＤはＲＡ［３９：４７］に設定される。ＲＡは、該当ＰＰＤＵまたはＰＳＤＵの受信者アドレスを示す。
【００８０】
本発明の実施例によると、以下のような条件のＰＰＤＵまたはＰＳＤＵにおいて、グループＩＤは６３に、部分ＡＩＤ（以下、ＰＡＩＤ）は下記数式１のように設定される。i）ＡＰによって伝送され、該当ＡＰに結合されたＳＴＡに向かうＰＰＤＵまたはＰＳＤＵ（つまり、下りフレーム）。ii）ＤＬＳ（Ｄｉｒｅｃｔ  Ｌｉｎｋ  Ｓｅｔｕｐ）  ＳＴＡまたはＴＤＬＳ（Ｔｕｎｎｅｌｅｄ  Ｄｉｒｅｃｔ  Ｌｉｎｋ  Ｓｅｔｕｐ) ＳＴＡによって、ＤＬＳまたはＴＤＬＳピア（ｐｅｅｒ）  ＳＴＡに対する直接経路で伝送されるＰＰＤＵまたはＰＳＤＵ。
【００８１】
【数３】
2020099095.tif 000005
【００８２】
つまり、ＰＡＩＤはＡＩＤ情報及びＢＳＳＩＤ情報の組み合わせによって決定される。より詳しくは、ＰＡＩＤはＡＩＤの一部のビット値にＢＳＳＩＤの一部ビットの排他的論理合を加えた値に基づいて決定される。このようなＡＩＤ情報とＢＳＳＩＤ情報の合算過程において、下りフレームのＰＡＩＤはＡＩＤの設定規則に従って、意図された受信者ではないＳＴＡに対してＢＳＳ識別力を失う恐れがある。一方、前記列挙された条件の以外の場合は、グループＩＤは６３に、部分ＡＩＤは０に設定される。
【００８３】
このように設定されたグループＩＤ情報及びＰＡＩＤ情報は、ＶＨＴ  ＰＰＤＵのＶＨＴ−ＳＩＧに挿入される。ＶＨＴ  ＰＰＤＵを伝送するＡＰはＡＩＤ情報及びＢＳＳＩＤ情報を利用してＰＡＩＤを決定し、決定されたＰＡＩＤ情報をＶＨＴ−ＳＩＧに挿入して伝送する。この際、ＡＩＤ情報は該当ＰＰＤＵの意図された受信者に割り当てられたＡＩＤの一部のビット値を指す。また、ＢＳＳＩＤ情報は該当ＰＰＤＵを伝送するＡＰ及びその受信者が属するＢＳＳのＢＳＳＩＤに基づく値を指す。ＢＳＳＩＤに基づく値は、ＢＳＳＩＤの一部のビットの排他的論理合を示す。より詳しくは、ＢＳＳＩＤに基づく値は、ＢＳＳＩＤの第１予め設定されたＫ−ビット（ら）と第２予め設定されたＫ−ビット（ら）の排他的論理合を示す。数式１の実施例のように、Ｋは４に設定され、第１予め設定されたＫ−ビットはビット４４からビット４７までのビットを指し、第２予め設定されたＫ−ビットはビット４０からビット４３までのビットを指す。以下、本発明の実施例ではＰＡＩＤ設定のために使用されるＢＳＳＩＤに基づく値を「ＢＳＳＩＤに基づくＫ−ビット値」と称する。一方、ＰＡＩＤはＡＩＤに従属して決定されるため、ＡＩＤ割当方法に応じて異なる値に決定され得る。
【００８４】
ＡＰがＳＴＡにＶＨＴ  ＰＰＤＵを伝送すれば、ＡＰはＳＴＡのＡＩＤ情報及びＢＳＳＩＤに基づくＫ−ビット値を利用してＰＡＩＤを設定する。この際、ＳＴＡのＡＩＤは以下で説明する本発明の実施例のうちいずれか一つによって設定される。ＡＰは設定されたＰＡＩＤ情報をＶＨＴ  ＰＰＤＵのプリアンブルに挿入して伝送する。この際、ＰＡＩＤ情報はＶＨＴ  ＰＰＤＵのＶＨＴ−ＳＩＧ−Ａに挿入される。
【００８５】
以下、図面及び数式を参照して、本発明の多様な実施例によるＡＩＤ割当方法を説明する。ＡＰは以下で説明する実施例のうち少なくとも一つの方法を利用して各ＳＴＡにＡＩＤを割り当てる。一実施例によると、ＡＰは以下の規則を介して決定されたＡＩＤをＶＨＴ  ＳＴＡに割り当てる。また、ＡＰは割り当てられたＡＩＤ情報をＡＰと結合された端末に伝送する。各実施例において、以前の実施例と同じであるか相応する部分に対しては重複した説明を省略する。
【００８６】
数式２は、本発明の第１実施例によるＡＩＤ割当方法を示す。
【００８７】
【数４】
2020099095.tif 000006
【００８８】
ここで、Ｎは１から４までのいずれか一つの整数である。
【００８９】
本発明の一実施例によると、ＡＩＤのビット８−Ｎ＋１からビット８までのビットが数式２の規則に従って設定される。この際、ＢＳＢは部分ＢＳＳカラーまたはＢＳＳカラーを指す。部分ＢＳＳカラーは該当ＢＳＳを運営するＡＰによって前記ＢＳＳに結合されたＳＴＡに知らされる。数式２の実施例によると、ＡＩＤの予め設定されたＮ−ビット（ら）はＢＣＢ情報及びＢＳＳＩＤ情報を利用して決定される。ＢＣＢ情報は部分ＢＳＳカラー値であり、ＢＳＳカラーの最小有効Ｎ−ビット（ら）の値を示す。但し、本発明はこれに限らず、ＢＣＢ情報はＢＳＳカラーの最大有効Ｎ−ビット（ら）の値を示してもよい。ＢＳＳＩＤ情報は、ＡＩＤを割り当てるＡＰが運営するＢＳＳのＢＳＳＩＤに基づく値を指す。ＢＳＳＩＤに基づく値は、ＢＳＳＩＤの一部のビットの排他的論理合を示す。より詳しくは、ＢＳＳＩＤに基づく値は、ＢＳＳＩＤの第１予め設定されたＮ−ビット（ら）とＢＳＳＩＤの第２予め設定されたＮ−ビット（ら）の排他的論理合を示す。数式２の実施例によると、第１予め設定されたＮ−ビット（ら）はビット４７−Ｎ＋１からビット４７までのビット（ら）を指し、第２予め設定されたＮ−ビット（ら）はビット４３−Ｎ＋１からビット４３までのビット（ら）を指す。以下、本発明の実施例では、ＡＩＤ割当のために使用されるＢＳＳＩＤに基づく値を「ＢＳＳＩＤに基づくＮ−ビット値」と称する。
【００９０】
このようにＡＩＤが割り当てられると、数式１の実施例によって決定されたＰＡＩＤの予め設定されたビット、つまり、ＰＡＩＤ（８−Ｎ＋１：８）がＢＳＳ識別力を有するようになる。ＰＡＩＤがＢＳＳ識別力を有するようになれば、ノンレガシー端末は受信されたフレームのＰＡＩＤ情報に基づいて該当フレームがＢＳＳ内フレームであるのかまたはＢＳＳ外フレームであるのかを判断する。本発明の実施例において、ノンレガシー端末は次世帯無線ＬＡＮ標準（つまり、ＩＥＥＥ  ８０２．１１ａｘ）に従う端末を指す。また、ｉｎｔｒａ−ＢＳＳフレームは同じＢＳＳに属する端末から伝送されたフレームを指し、ｉｎｔｅｒ−ＢＳＳフレームは他のＢＳＳに属する端末から伝送されたフレームを指す。
【００９１】
ノンレガシー端末は、ＢＳＳ識別のための情報、例えば、ＢＳＳカラー、部分ＢＳＳカラー、ＭＡＣアドレスなどを利用してｉｎｔｒａ−ＢＳＳフレームとｉｎｔｅｒ−ＢＳＳフレームの判断を行う。部分ＢＳＳカラーは数式２のＢＣＢ値を指す。本発明の一実施例によると、ＡＩＤが特定規則に従って割り当てられれば、前記数式１によるＰＡＩＤの予め設定されたビットから部分ＢＳＳカラー情報が抽出される。この際、ＰＡＩＤの予め設定されたビットは、ＰＡＩＤの上位Ｎ−ビット、つまり、ＰＡＩＤ（８−Ｎ＋１：８）を指す。
【００９２】
ノンレガシー端末は、受信されたフレームがｉｎｔｒａ−ＢＳＳフレームであるのか否かに応じて互いに異なる動作を行う。つまり、受信されたフレームがｉｎｔｒａ−ＢＳＳフレームと判断されれば、端末は第１動作を行う。また、受信されたフレームがｉｎｔｅｒ−ＢＳＳフレームと判断されれば、端末は第１動作とは異なる第２動作を行う。本発明の実施例によると、第１動作と第２動作は多様に設定される。
【００９３】
一実施例によると、端末は、受信されたフレームがｉｎｔｒａ−ＢＳＳフレームであるのか否かに応じて互いに異なる臨界値に基づいてチャネル接近を行う。より詳しくは、受信されたフレームがｉｎｔｒａ−ＢＳＳフレームと判断されれば、端末は第１ＣＣＡ臨界値に基づいてチャネルに接近する（第１動作）。つまり、端末は第１ＣＣＡ臨界値に基づいてＣＣＡを行い、前記ＣＣＡの遂行結果に基づいてチャネルの占有可否を判断する。一方、受信されたフレームがｉｎｔｅｒ−ＢＳＳフレームと判断されれば、端末は第１ＣＣＡ臨界値と区別された第２ＣＣＡ臨界値に基づいてチャネルに接近する（第２動作）。つまり、端末は第１ＣＣＡ臨界値及び第２ＣＣＡ臨界値の両方に基づいてチャネルの占有可否を判断する。本発明の実施例によると、第２ＣＣＡ臨界値はｉｎｔｅｒ−ＢＳＳフレームの受信信号強度に応じてチャネルの占有可否を判断するために設定されたＯＢＳＳ（Ｏｖｅｒｌａｐｐｉｎｇ  Ｂａｓｉｃ  Ｓｅｒｖｉｃｅ  Ｓｅｔ）  ＰＤレベルである。この際、第２ＣＣＡ臨界値は、第１ＣＣＡ臨界値以上の値を有する。
【００９４】
他の実施例によると、端末は、受信されたフレームがｉｎｔｒａ−ＢＳＳフレームであるのか否かにう応じて互いに異なるＮＡＶを設定またはアップデートする。より詳しくは、受信されたフレームがｉｎｔｒａ−ＢＳＳフレームと判断されれば、端末は該当フレームのデュレーション（ｄｕｒａｔｉｏｎ）情報に基づいて第１ＮＡＶを設定またはアップデートする（第１動作）。この際、第１ＮＡＶはｉｎｔｒａ−ＢＳＳフレームを保護するために管理されるｉｎｔｒａ−ＢＳＳ  ＮＡＶであってもよい。一方、受信されたフレームがｉｎｔｅｒ−ＢＳＳフレームと判断されれば、端末は該当フレームのデュレーション情報に基づいて第２ＮＡＶを設定またはアップデートする（第２動作）。この際、第２ＮＡＶはｉｎｔｅｒ−ＢＳＳフレームを保護するために管理されるベーシックＮＡＶであってもよい。
【００９５】
本発明の実施例によると、受信されたフレームがＶＨＴ  ＰＰＤＵであれば、ノンレガシー端末は該当フレームのプリアンブル（つまり、ＶＨＴ−ＳＩＧ−Ａ）からグループＩＤ情報及びＰＡＩＤ情報を抽出する。抽出されたグループＩＤ情報が予め設定された値（例えば、６３）であれば、ノンレガシー端末は抽出されたＰＡＩＤ情報に基づいて前記フレームがｉｎｔｒａ−ＢＳＳフレームであるのかまたはｉｎｔｅｒ−ＢＳＳフレームであるのかを判断する。より詳しくは、端末は抽出されたＰＡＩＤ情報を端末の結合されたＢＳＳを識別するための情報と比較して、ｉｎｔｒａ−ＢＳＳフレームとｉｎｔｅｒ−ＢＳＳフレームの判断を行う。後述するように、端末の結合されたＢＳＳを識別するための情報は、実施例によって端末のＰＡＩＤ、端末が結合されたＡＰが知らせてくれたＢＳＳカラー、端末が結合されたＡＰが知らせてくれた部分ＢＳＳカラーなどを含む。一方、予め設定された値（つまり、６３）のグループＩＤ情報は、該当フレームが下りフレームであることを指示する。
【００９６】
一方、数式２の規則に従ってＡＩＤが割り当てられると、該当ＢＳＳは多重ＢＳＳのＡＩＤ候補のうち、ＡＩＤ（８−Ｎ＋１：８）が数式２の規則に従わない値をＡＩＤ値として使用しないようになる。本発明の一実施例によると、使用されないＡＩＤ値はＳＴＡのグループを指すのに使用される。より詳しくは、数式２の規則に従わないＡＩＤ値は、ＳＴＡのグループを指す識別子として黙示的にまたは明示的に指定される。ＳＴＡのグループを指す識別子は、ＨＥ（Ｈｉｇｈ−Ｅｆｆｉｃｉｅｎｃｙ）  ＭＵ  ＰＰＤＵのＨＥ−ＳＩＧ−ＢのユーザフィールドにＳＴＡ−ＩＤ値として挿入される。前記識別子が指すグループのＳＴＡは、該当リソースユニットをデコーティングする。
【００９７】
図９は、本発明の一実施例によるノンレガシーエレメント（ｅｌｅｍｅｎｔ)フォーマットを示す図である。ＡＰは、図９に示したエレメントを利用してＳＴＡに部分ＢＳＳカラー情報を知らせる。ノンレガシーエレメントは、ビーコンフレーム、プローブ要請フレーム、プローブ応答フレーム、結合要請フレーム、結合応答フレーム、再結合要請フレーム、再結合応答フレームなどに含まれる。また、ノンレガシーエレメントは該当エレメントを単独に含むフレームを介して伝送されてもよい。
【００９８】
図９を参照すると、ノンレガシーエレメントは「エレメントＩＤ」フィールド、「長さ」フィールド、及び「部分ＢＳＳカラー情報」フィールドを含む。「エレメントＩＤ」フィールドは、該当エレメントのタイプ（例えば、「部分ＢＳＳカラー情報エレメント」）を指示する。「長さ」フィールドは、該当エレメントの情報を示す。「部分ＢＳＳカラー情報」フィールドは、「ＡＩＤに使用される部分ＢＳＳカラービット個数」フィールド、「部分ＢＳＳカラービット」フィールド、及び予約済みフィールドを含む。一実施例によると、「部分ＢＳＳカラー情報」フィールドは、３−ビットの「ＡＩＤに使用される部分ＢＳＳカラービット個数」フィールドと４−ビットの「部分ＢＳＳカラービット」フィールドを含む。
【００９９】
「ＡＩＤに使用される部分ＢＳＳカラービット個数」フィールドは、ＡＩＤ割当に使用される部分ＢＳＳカラーのビット個数Ｎを指示する。前記指示されたＮの値に応じて、ＢＳＳカラーの最小有効Ｎ−ビット（ら）がＡＩＤ決定に使用される。一実施例によると、前記Ｎは１から最大の部分ＢＳＳカラービット個数（例えば、４）までのいずれか一つの値を指示する。他の実施例によると、前記Ｎは０を追加に指示して、ＡＩＤ割当に部分ＢＳＳカラーが使用されないことを指示してもよい。もしＮが０を指示すれば、ＶＨＴ  ＰＰＤＵのＰＡＩＤ情報を利用したｉｎｔｒａ／ｉｎｔｅｒ−ＢＳＳフレームの判断方法が使用されなくてもよい。本発明の一実施例によると、「ＡＩＤに使用される部分ＢＳＳカラービット個数」フィールドの値、つまり、Ｎが０より大きい値に設定されれば、ＡＰ波数式２の方法に従ってＡＩＤを割り当てる。
【０１００】
「部分ＢＳＳカラービット」フィールドは、部分ＢＳＳカラーのビット値を示す。「部分ＢＳＳカラービット」フィールドは、数式２のＢＣＢ値を示す。また、「部分ＢＳＳカラービット」フィールドは、本発明の一実施例によってＡＩＤが決定される場合、数式１によるＰＡＩＤ（８−Ｎ＋１：８）値で表される。一実施例によると、部分ＢＳＳカラービットの値はＢＳＳカラーと独立して決定される。そのようにすることで、周辺ＢＳＳのそれと部分ＢＳＳカラー値が重なる問題を減らすことができる。他の実施例によると、部分ＢＳＳカラービットの値はＢＳＳカラーに従属的に決定される。そのようにすることで、ＢＳＳカラー情報を受信する受信者は、それに基づいて部分ＢＳＳカラービットの値を推定することができる。本発明の実施例によると、「部分ＢＳＳカラービット」フィールドは「ＡＩＤに使用される部分ＢＳＳカラービット個数」フィールドの値に応じて可変的に決定される。
【０１０１】
本発明の実施例によると、部分ＢＳＳカラーは該当ＢＳＳを運営するＡＰによって設定される。ＡＰは、ＢＳＳに結合されたＳＴＡに設定された部分ＢＳＳカラーを知らせる。もし多重ＢＳＳＩＤセットが使用されれば、同じ多重ＢＳＳＩＤセットのＢＳＳは同じ部分ＢＳＳカラーを使用してもよい。
【０１０２】
本発明の追加的な実施例によると、ＡＰは該当ＢＳＳからＡＩＤ割当に使用される部分ＢＳＳカラーのビット個数Ｎの値を変更する。数式２の実施例によってＡＩＤが割り当てられると、ＡＩＤ（８−Ｎ＋１：８）はＢＳＳ内で固定された値を有するようになる。よって、ビット個数Ｎが大きいほどＳＴＡに割り当てられるＡＩＤの数が減るようになる。よって、ＡＰは設定されたビットの個数Ｎの値に応じてＡＩＤの割当を行う中、より多くのＳＴＡとの結合を行うためにビットの個数Ｎを減らしてもよい。例えば、より多くのＳＴＡと結合するために、ＡＰはビットの個数Ｎの値を１減らしてもよい。この際、従来使用されていた部分ＢＳＳカラービットから最大有効ビット或いは最小有効ビットを差し引いた残りのビットが、新たな部分ＢＳＳカラービットとして使用される。それだけでなく、ＡＰは該当ＢＳＳで使用される部分ＢＳＳカラービット値を変更してもよい。前記のようにＡＩＤ割当の使用される部分ＢＳＳカラーのビット個数Ｎ及び/または部分ＢＳＳカラービット値を変更するために、ＡＰは図９に示したエレメントを伝送する。
【０１０３】
図１０は、本発明の一実施例による部分ＡＩＤの算出過程を示す図である。図１０を参照すると、数式１によるＰＡＩＤ算出過程において、図１０（ａ）のｄｅｃ（ＡＩＤ［０：８］）（以下、「ＡＩＤの特定ビット情報」）と図１０（ｂ）のｄｅｃ（ＢＳＳＩＤ［４４：４７］  ＸＯＲ  ＢＳＳＩＤ［４０：４３］）＊２＾５（以下、「ＢＳＳＩＤから獲得された情報」）を足すようになる。この際、ＢＳＳＩＤから獲得された情報において、Ｂ０からＢ４までの５つのビットは、２＾５の積によって全て０になる。
【０１０４】
もし、数式２のＡＩＤ割当規則においてＮが４であれば、ＡＩＤ［５：８］は数式２の規則に従ってＢＳＳ内で固定された値に決定される。よって、割り当てられたＡＩＤ値及びＢＳＳＩＤ値に関係なく、ＢＳＳ内で単一のＰＡＩＤ（８−Ｎ＋１：８）値が決定される。しかし、数式２のＡＩＤ割当規則においてＮが４より小さければ、ＡＩＤ［５：８］のうち少なくとも一部のビットは可変的な値に決定される。よって、割り当てられたＡＩＤ値及びＢＳＳＩＤ値に応じてＢＳＳ内で複数のＰＡＩＤ（８−Ｎ＋１：８）値が決定される。例えば、ＢＳＳＩＤから獲得された情報のＢ（８−Ｎ＋１−１）値が１であれば、ＡＩＤの特定ビット情報とＢＳＳＩＤから獲得された情報を足す過程において、ＡＩＤの特定ビット情報のＢ（８−Ｎ＋１−１）値に応じて桁数の切り上げが発生する可能性も、発生しない可能性もある。このような曖昧性が解決されなければ、ｉｎｔｒａ−ＢＳＳフレームをｉｎｔｅｒ−ＢＳＳフレームに間違って判断するエラーが発生する恐れがある。
【０１０５】
受信されたフレームのＰＡＩＤ情報に基づいてｉｎｔｒａ−ＢＳＳフレームとｉｎｔｅｒ−ＢＳＳフレームの判断を行う場合、端末は受信されたフレームから抽出されたＰＡＩＤ情報と端末が結合されたＢＳＳに関するＰＡＩＤ情報が一致するのか否かを確認する。ここで、ＰＡＩＤ情報は、ＰＡＩＤの予め設定されたビットを指す。より詳しくは、ＰＡＩＤ情報はＰＡＩＤの上位Ｎ−ビット、つまり、ＰＡＩＤ（８−Ｎ＋１：８）を指す。もし、受信されたフレームから抽出されたＰＡＩＤ情報が端末が結合されたＢＳＳに関するＰＡＩＤ情報と一致すれば、端末は受信されたフレームをｉｎｔｒａ−ＢＳＳフレームと判断する。しかし、受信されたフレームから抽出されたＰＡＩＤ情報が端末が結合されたＢＳＳに関するＰＡＩＤ情報と一致しなければ、端末は受信されたフレームをｉｎｔｅｒ−ＢＳＳフレームと判断する。
【０１０６】
一方、上述したＰＡＩＤ値決定の曖昧性による問題を解決するために、多様なＰＡＩＤ比較方法が使用されもよい。一実施例によると、端末は受信されたフレームから抽出されたＰＡＩＤ（８−Ｎ＋１：８）を端末が結合されたＢＳＳで可能な全てのＰＡＩＤ（８−Ｎ＋１：８）と比較してｉｎｔｒａ／ｉｎｔｅｒ−ＢＳＳフレームの判断を行う。もし、受信されたフレームから抽出されたＰＡＩＤ（８−Ｎ＋１：８）が端末が結合されたＢＳＳで可能な全てのＰＡＩＤ（８−Ｎ＋１：８）のうちいずれか一つと一致すれば、端末は受信されたフレームをｉｎｔｒａ−ＢＳＳフレームと判断する。しかし、受信されたフレームから抽出されたＰＡＩＤ（８−Ｎ＋１：８）が端末が結合されたＢＳＳで可能な全てのＰＡＩＤ（８−Ｎ＋１：８）のうちいずれとも一致しなければ、端末は受信されたフレームをｉｎｔｅｒ−ＢＳＳフレームと判断する。本発明の実施例によると、このようなｉｎｔｒａ−ＢＳＳフレームとｉｎｔｅｒ−ＢＳＳフレームの判断は、受信されたフレームのグループＩＤが予め設定された値（例えば、６３）である場合に行われる。
【０１０７】
他の実施例によると、端末は受信されたフレームから抽出されたＰＡＩＤ（８−Ｎ＋１：８）を、i）端末が結合されたＢＳＳのＰＡＩＤ（８−Ｎ＋１：８）、ii）端末が結合されたＢＳＳのＰＡＩＤのＢ（８−Ｎ＋１）の位置に１を足したＰＡＩＤ’（８−Ｎ＋１：８）、及びiii）端末が結合されたＢＳＳのＰＡＩＤのＢ（８−Ｎ＋１）の位置に１を差し引いたＰＡＩＤ”（８−Ｎ＋１：８）と比較して、ｉｎｔｒａ／ｉｎｔｅｒ−ＢＳＳフレームの判断を行う。もし、受信されたフレームから抽出されたＰＡＩＤ（８−Ｎ＋１：８）が前記i）、ii）、iii）のうちいずれか一つと一致すれば、端末は受信されたフレームをｉｎｔｒａ−ＢＳＳフレームと判断する。しかし、受信されたフレームから抽出されたＰＡＩＤ（８−Ｎ＋１：８）が前記i）、ii）、iii）のうちいずれとも一致しなければ、端末は受信されたフレームをｉｎｔｅｒ−ＢＳＳフレームと判断する。本発明の実施例によると、このようなｉｎｔｒａ−ＢＳＳフレームとｉｎｔｅｒ−ＢＳＳフレームの判断は、受信されたフレームのグループＩＤが予め設定された値（例えば、６３）である場合に行われる。
【０１０８】
上述したＰＡＩＤ値決定の曖昧性による問題を解決するために、ＡＩＤ割当の際に追加的な規則が適用される。一実施例によると、ＡＩＤのＢ（８−Ｎ＋１−１）は常に０に設定される。他の実施例によると、ＢＳＳＩＤから獲得された情報のＢ（８−Ｎ＋１−１）値が０であれば、ＡＩＤのＢ（８−Ｎ＋１−１）は常に０に設定される。
【０１０９】
一方、互いに異なるＢＳＳであっても部分ＢＳＳカラーは同じ値に設定される可能性がある。よって、部分ＢＳＳカラーに基づくｉｎｔｒａ／ｉｎｔｅｒ−ＢＳＳフレームの判断結果とＭＡＣアドレスに基づくｎｔｒａ／ｉｎｔｅｒ−ＢＳＳフレームの判断結果が互いに異なれば、ＭＡＣアドレスに基づく判断結果が部分ＢＳＳカラーに基づいた判断結果より優先する。例えば、受信されたフレームが部分ＢＳＳカラーに基づいてｉｎｔｒａ−ＢＳＳフレームと判断されるが、受信されたフレームがＭＡＣアドレスに基づいてｉｎｔｅｒ−ＢＳＳフレームと判断されれば、端末は受信されたフレームをｉｎｔｅｒ−ＢＳＳフレームと判断する。また、本発明の実施例によると、受信されたフレームがｉｎｔｒａ−ＢＳＳフレームと判断される条件と受信されたフレームがｉｎｔｅｒ−ＢＳＳフレームと判断される条件を全て満足すれば、端末は受信されたフレームをｉｎｔｅｒ−ＢＳＳフレームと判断する。
【０１１０】
具体的な実施例として、受信されたフレームが部分ＢＳＳカラーに基づいてｉｎｔｒａ−ＢＳＳフレームと判断されるが、受信されたフレームがＭＡＣアドレスに基づいてｉｎｔｅｒ−ＢＳＳフレームと判断されれば、端末は上述したベーシックＮＡＶを設定またはアップデートする。端末は受信されたフレームのＭＡＣヘッダのデュレーションフィールド情報に基づいてベーシックＮＡＶを設定またはアップデートする。
【０１１１】
図１１は、本発明の一実施例による部分ＡＩＤの算出過程をより詳細に示す図である。ＡＰは、数式１の実施例によってＰＡＩＤを設定するが、図１１（ａ）及び図１１（ｂ）はその過程を示す。図１１（ｂ）に示したように、ｘはＡＩＤのビット０からビット８までのビット（つまり、ＡＩＤ［０：８］）を示し、ｙは（ＢＳＳＩＤ［４４：４７］  ＸＯＲ  ＢＳＳＩＤ［４０：４３］）＊２＾５を示す。ｚはｘとｙの和を示す。また、図１１（ｃ）は、数式２によるＡＩＤビット（８−Ｎ＋１）からビット８までのビット（つまり、ＡＩＤ［８−Ｎ＋１：８］）の割当規則を示す。
【０１１２】
図１１（ａ)乃至図１１（ｃ）を参照して、ＰＡＩＤが算出される過程を説明すると以下のようである。図１１（ｃ）の規則に従ってＡＩＤが割り当てられると、ｘの上位Ｎ−ビットは図１１（ｃ）の規則に従って割り当てられる。本発明の実施例によると、Ｎは１から４までのいずれか一つの値であってもよい。しかし、本発明の他の実施例によると、Ｎは０に指定され、図１１（ｃ）の規則に従うＡＩＤ割当方法及びＰＡＩＤを利用したｉｎｔｒａ／ｉｎｔｅｒ−ＢＳＳフレームの判断方法が行われなくてもよい。Ｎは図９で説明したノンレガシーエレメントを介して伝達されてもよいが、本発明はこれに限らない。ｙの下位５−ビットは、図１１（ｂ）＊２＾５演算によって全て０に設定される（つまり、「０００００」）。ｘとｙを合算してｚが算出され、ｚにｍｏｄ  ２＾９演算を行ってＰＡＩＤが算出される。ｍｏｄ演算はｘとｙの和でｚが算出される際にＢ８位置からＢ９位置に桁数の切り上げが発生したら、その切り上げられた値を切り落とす役割をする。
【０１１３】
本発明の実施例によると、ｘの上位Ｎ−ビットは図１１（ｃ）に示されたＡＩＤ割当規則のように部分ＢＳＳカラー値とＢＳＳＩＤに基づくＮ−ビット値の組み合わせで決定される。よって、ｘの上位Ｎ−ビットはＢＳＳに従属的な値である。また、ｙはＢＳＳＩＤに基づくＫ−ビット値に応じて決定されるためＢＳＳに従属的な値である。よって、ＰＡＩＤの上位Ｎ−ビットはＢＳＳに従属的な値になり得る。本発明の実施例によると、ＢＳＳ識別のための情報として部分ＢＳＳカラーが使用されてもよい。部分ＢＳＳカラーは図１１（ｃ）のＡＩＤ割当規則に使用されるＢＣＢ［０：Ｎ−１］を指す。本発明の一実施例によると、部分ＢＳＳカラーはＰＡＩＤの上位Ｎ−ビットによって示される。一方、本発明の他の実施例によると、部分ＢＳＳカラーはｘの上位Ｎ−ビットを指してもよい。
【０１１４】
一方、上述したようにｉｎｔｒａ−ＢＳＳフレームとｉｎｔｅｒ−ＢＳＳフレーム判断の曖昧性が解決されなければ、ｉｎｔｒａ−ＢＳＳフレームがｉｎｔｅｒ−ＢＳＳフレームと間違って判断されるエラーが発生する恐れがある。ｉｎｔｒａ−ＢＳＳフレームがｉｎｔｅｒ−ＢＳＳフレームと間違って判断されれば、端末は上述した第２ＣＣＡ臨界値に基づいてチャネルの占有可否を判断する。この際、第２ＣＣＡ臨界値は、ｉｎｔｒａ−ＢＳＳフレームに適用される第１ＣＣＡ臨界値より高い値に設定される。端末が第２ＣＣＡ臨界値に基づいてチャネル接近を行えば、受信されるパケットに干渉を起こす恐れがある。また、ＡＰは該当パケットを伝送中であるため、端末が伝送するパケットを受信することができなくなる。このように、端末のｉｎｔｒａ／ｉｎｔｅｒ−ＢＳＳフレーム判断エラーはｉｎｔｒａ−ＢＳＳの動作を妨げる恐れがある。
【０１１５】
よって、ｉｎｔｒａ−ＢＳＳフレームとｉｎｔｅｒ−ＢＳＳフレーム判断の曖昧性を解決するための方法が必要である。以下、各図面を参照して、本発明の多様な実施例によるｉｎｔｒａ−ＢＳＳフレームとｉｎｔｅｒ−ＢＳＳフレームの判断方法を説明する。それぞれの実施例においては、受信されたフレームがＶＨＴ  ＰＰＤＵで、グループＩＤが６３に設定されている（つまり、下りフレームである）状況を仮定する。
【０１１６】
図１２は、本発明の第１実施例によるｉｎｔｒａ−ＢＳＳフレームとｉｎｔｅｒ−ＢＳＳフレームの判断方法を示す図である。本発明の一実施例によると、割り当てられたＡＩＤ値及びＢＳＳＩＤ値に応じてＢＳＳ内で複数のＰＡＩＤ（８−Ｎ＋１：８）値が決定される。よって、端末は受信されたフレームから抽出されたＰＡＩＤ（８−Ｎ＋１：８）を端末が結合されたＢＳＳで可能な全てのＰＡＩＤ（８−Ｎ＋１：８）と比較し、ｉｎｔｒａ／ｉｎｔｅｒ−ＢＳＳフレームの判断を行う。もし、受信されたフレームから抽出されたＰＡＩＤ（８−Ｎ＋１：８）が端末が結合されたＢＳＳで可能な全てのＰＡＩＤ（８−Ｎ＋１：８）のうちいずれか一つと一致すれば、端末は受信されたフレームをｉｎｔｒａ−ＢＳＳフレームと判断する。しかし、受信されたフレームから抽出されたＰＡＩＤ（８−Ｎ＋１：８）が端末が結合されたＢＳＳで可能な全てのＰＡＩＤ（８−Ｎ＋１：８）のうちいずれとも一致しなければ、端末は受信されたフレームをｉｎｔｅｒ−ＢＳＳフレームと判断する。
【０１１７】
図１２（ａ)及び図１２（ｂ）は、受信端末のＰＡＩＤ算出過程に基づいて、受信されたフレームがｉｎｔｒａ−ＢＳＳフレームであるのか、またはｉｎｔｅｒ−ＢＳＳフレームであるのかを判断する方法を示す。図１２（ａ）は、図１０及び図１１で説明した端末のＰＡＩＤ算出過程において、Ｂ（８−Ｎ＋１−１）で桁数の切り上げが発生した場合の判断方法を示す。また、図１２（ｂ）は、図１０及び図１１で説明した端末のＰＡＩＤ算出過程において、Ｂ（８−Ｎ＋１−１）で桁数の切り上げが発生しない場合の判断方法を示す。
【０１１８】
まず、図１２（a)を参照すると、端末は無線フレームを受信し、受信されたフレームからＰＡＩＤ情報を抽出する（Ｓ１２１０）。この際、受信されたフレームからグループＩＤが共に抽出されるが、グループＩＤは６３であると仮定する。端末は、受信されたフレームのＰＡＩＤ（８−Ｎ＋１：８）が以下のうちいずれか一つと一致するのかを判断する（Ｓ１２２０）。ａ−i）端末のＰＡＩＤ（８−Ｎ＋１：８）、a−ii）端末のＰＡＩＤ（８−Ｎ＋１：８）−１（８−Ｎ＋１）。ここで、１（８−Ｎ＋１）はＰＡＩＤのビット（８−Ｎ＋１）の１を指す。図１２（ａ）の実施例の場合、端末のＰＡＩＤ算出過程で桁数の切り上げが発生したため、端末のＰＡＩＤ（８−Ｎ＋１：８）から１を差し引いたＰＡＩＤ’（８−Ｎ＋１：８）がＢＳＳに存在し得る。よって、端末は受信されたフレームのＰＡＩＤ（８−Ｎ＋１：８）が前記ａ−i）、ａ−ii）のうちいずれか一つと一致するのか否かを判断する。もし、受信されたフレームから抽出されたＰＡＩＤ（８−Ｎ＋１：８）が前記ａ−i）及びａ−ii）のうちいずれか一つと一致すれば、端末は受信されたフレームをｉｎｔｒａ−ＢＳＳフレームと判断する（Ｓ１２３０）。しかし、受信されたフレームから抽出されたＰＡＩＤ（８−Ｎ＋１：８）が前記ａ−i）及びａ−ii）のうちいずれとも一致しなければ、端末は受信されたフレームをｉｎｔｅｒ−ＢＳＳフレームと判断する（Ｓ１２３２）。
【０１１９】
次に、図１２（ｂ）を参照すると、端末は無線フレームを受信し、受信されたフレームからＰＡＩＤ情報を抽出する（Ｓ１２６０）。この際、受信されたフレームからグループＩＤが一緒に抽出されるが、グループＩＤは６３であると仮定する。端末は受信されたフレームのＰＡＩＤ（８−Ｎ＋１：８）が以下のうちいずれか一つと一致するのかを判断する（Ｓ１２７０）。ｂ−i）端末のＰＡＩＤ（８−Ｎ＋１：８）、ｂ−ii）端末のＰＡＩＤ（８−Ｎ＋１：８）＋１（８−Ｎ＋１）。ここで、１（８−Ｎ＋１）はＰＡＩＤのビット（８−Ｎ＋１）の１を指す。図１２（ｂ）の実施例の場合、端末のＰＡＩＤ算出過程で桁数の切り上げが発生していないため、端末のＰＡＩＤ（８−Ｎ＋１：８）に１を足したＰＡＩＤ”（８−Ｎ＋１：８）がＢＳＳに存在し得る。よって、端末は、受信されたフレームのＰＡＩＤ（８−Ｎ＋１：８）が前記ｂ−i）、ｂ−ii）のうちいずれか一つと一致するのか否かを判断する。もし、受信されたフレームから抽出されたＰＡＩＤ（８−Ｎ＋１：８）が前記ｂ−i）及びｂ−ii）のうちいずれか一つと一致すれば、端末は受信されたフレームをｉｎｔｒａ−ＢＳＳフレームと判断する（Ｓ１２８０）。しかし、受信されたフレームから抽出されたＰＡＩＤ（８−Ｎ＋１：８）が前記ｂ−i）及びｂ−ii）のうちいずれとも一致しなければ、端末は受信されたフレームをｉｎｔｅｒ−ＢＳＳフレームと判断する（Ｓ１２８２）。
【０１２０】
図１３は、本発明の第２実施例によるｉｎｔｒａ−ＢＳＳフレームとｉｎｔｅｒ−ＢＳＳフレームの判断方法を示す図である。本発明の第２実施例によると、端末は受信されたフレームのＰＡＩＤ値及び端末が結合されたＢＳＳのＢＳＳＩＤに基づくＫ−ビット値を利用してｉｎｔｒａ／ｉｎｔｅｒ−ＢＳＳフレームを判断するための参照値Ｘ’を算出する。
【０１２１】
より詳しくは、端末は無線通信フレームを受信し、受信されたフレームからＰＡＩＤ情報を抽出する（Ｓ１３１０）。この際、受信されたフレームからグループＩＤが一緒に抽出されるが、グループＩＤは６３であると仮定する。端末は、受信されたフレームのＰＡＩＤ値と端末が結合されたＢＳＳのＢＳＳＩＤに基づくＫ−ビット値を利用して参照値Ｘ’を算出する（Ｓ１３２０）。本発明の実施例において、参照値Ｘ’は、受信されたフレームのＰＡＩＤ値及び端末が結合されたＢＳＳのＢＳＳＩＤに基づくＫ−ビット値の組み合わせによって決定される。より詳しくは、参照値Ｘ’は受信されたフレームのＰＡＩＤ値（つまり、図１１における（ｘ＋ｙ）  ｍｏｄ  ２＾９）において、端末が結合されたＢＳＳのＢＳＳＩＤに基づくＫ−ビット値と２＾５の積（つまり、ｙ’）を差し引いて算出される。それに関する詳しい実施例は、図１４を参照して後述する。端末は、参照値Ｘ’（８−Ｎ＋１：８）が端末のＡＩＤ（８−Ｎ＋１：８）と一致するのかを判断する（Ｓ１３３０）。もし、参照値Ｘ’（８−Ｎ＋１：８）が端末のＡＩＤ（８−Ｎ＋１：８）と一致すれば、端末は受信されたフレームをｉｎｔｒａ−ＢＳＳフレームと判断する（Ｓ１３４０）。しかし、参照値Ｘ’（８−Ｎ＋１：８）が端末のＡＩＤ（８−Ｎ＋１：８）と一致しなければ、端末は受信されたフレームをｉｎｔｅｒ−ＢＳＳフレームと判断する（Ｓ１３４２）。
【０１２２】
図１４は、本発明の実施例によってｉｎｔｒａ／ｉｎｔｅｒ−ＢＳＳフレームを判断するための参照値を算出する過程及び部分ＡＩＤを算出する過程を示す図である。図１４の実施例において、各変数の定義は以下のようである。
【０１２３】
−ＰＡＩＤは、受信されたフレームから抽出された部分ＡＩＤを示す。ＰＡＩＤは、受信されたＶＨＴ  ＰＰＤＵのＶＨＴ−ＳＩＧ−Ａ１から抽出される。
【０１２４】
−ｘは、フレームの意図された受信者のＡＩＤ（０：８）を示す。
【０１２５】
−ｙは、フレームを送信した端末が属するＢＳＳの（ＢＳＳＩＤ［４４：４７］  ＸＯＲ  ＢＳＳＩＤ［４０：４３］）＊２＾５を示す。
【０１２６】
−ｙ’は、フレームを受信した端末が結合されたＢＳＳの（ＢＳＳＩＤ［４４：４７］  ＸＯＲ  ＢＳＳＩＤ［４０：４３］）＊２＾５を示す。
【０１２７】
言い換えると、ｙはフレームを送信した端末が結合されたＢＳＳのＢＳＳＩＤに基づくＫ−ビット値と２＾５積を示し、ｙ’はフレームを受信した端末が結合されたＢＳＳのＢＳＳＩＤに基づくＫ−ビット値と２＾５の積を示す。図１４の実施例において、ｘ’は９−ビットは二進数の値を示す。図１４（ａ)の実施例によって算出された値から、二進数のｘ’を獲得するために別途のｂｉｎ［ｘ’，９］の演算が行われる。
【０１２８】
まず、図１４（ａ)はｉｎｔｒａ／ｉｎｔｅｒ−ＢＳＳフレームを判断するための参照値Ｘ’を算出する過程を示す。フレームを受信した端末は、受信されたフレームから抽出されたＰＡＩＤとｙ’を比較する。もしＰＡＩＤ−ｙ’が０より小さければ（つまり、Ｃａｓｅ  ＲＸ１）、端末はｘ’をＰＡＩＤ−ｙ’＋２＾９に設定する。しかし、ＰＡＩＤ−ｙ’が０より大きいか同じであれば（つまり、Ｃａｓｅ  ＲＸ２）、端末はＸ’をＰＡＩＤ−ｙ’に設定する。端末はこのように算出された参照値ｘ’を利用して、図１３の実施例のようなｉｎｔｒａ／ｉｎｔｅｒ−ＢＳＳフレームの判断を行う。
【０１２９】
次に、図１４（ｂ）は、ＰＰＤＵを送信する端末がＰＡＩＤを算出する過程を示す。図１１の実施例を参照すると、ＰＡＩＤは（ｘ＋ｙ）  ｍｏｄ  ２＾９で算出される。ここで、ｘとｙは９−ビットの値であるため、ｘとｙはそれぞれ以下の条件を満足する。
０≦ｘ＜２＾９、０≦ｙ＜２＾９
【０１３０】
よって、ｘ＋ｙは以下の条件を満足する。
０≦ｘ＋ｙ＜２＾１０
【０１３１】
よって、本発明の実施例によると、ＰＡＩＤは以下のように算出される。もし、ｘ＋ｙが２＾９より大きいか同じであれば（つまり、Ｃａｓｅ  ＴＸ１）、ＰＡＩＤはｘ＋ｙ−２＾９に設定される。しかし、ｘ＋ｙが２＾９より小さければ（つまり、Ｃａｓｅ  ＴＸ２）、ＰＡＩＤはｘ＋ｙに設定される。
【０１３２】
本発明の実施例によって参照値ｘ’が使用される場合、受信端末のｉｎｔｒａ／ｉｎｔｅｒ−ＢＳＳフレームの判断過程を説明すると以下のようである。まず、端末が受信したフレームがｉｎｔｒａ−ＢＳＳフレームであれば、受信端末は以下のように判断する。端末がｉｎｔｒａ−ＢＳＳフレームを受信したら、ｙとｙ’は全て同じＢＳＳＩＤに基づいて決定されるため、ｙ＝ｙ’を満足する。
【０１３３】
Ａ−１）送信端末がＣａｓｅ  Ｔｘ１によってＰＡＩＤを算出する場合
Ｃａｓｅ  Ｔｘ１の数式に従って、ＰＡＩＤ−ｙ＝ｘ−２＾９を満足する。この際、ｘは２＾９より小さい値であるため、ＰＡＩＤ−ｙ＜０である。ｙとｙ’の値が同じであるためＰＡＩＤ−ｙ’＜０を満足し、受信端末はＣａｓｅ  Ｒｘ１によってｘ’を算出する。この際、ｘ’は以下の数式を満足するようになる。
【０１３４】
【数５】
2020099095.tif 000007
【０１３５】
つまり、ｘ’＝ｘを満足し、ｘ’（８−Ｎ＋１：８）＝ｘ（８−Ｎ＋１：８）である。各端末のＡＩＤが上述した規則に従って割り当てられれば、同じＢＳＳの端末は同じＡＩＤ（８−Ｎ＋１：８）値を有するようになる。よって、Ｘ’（８−Ｎ＋１：８）は受信端末のＡＩＤ（８−Ｎ＋１：８）と一致するようになり、受信端末は該当フレームをｉｎｔｒａ−ＢＳＳフレームと判断する。
【０１３６】
Ａ−２）送信端末がＣａｓｅ  Ｔｘ２によってＰＡＩＤを算出する場合
Ｃａｓｅ  Ｔｘ２の数式に従って、ＰＡＩＤ−ｙ＝ｘを満足する。この際、ｘは０より大きいか同じ値であるため、ＰＡＩＤ−ｙ≧０である。ｙとｙ’の値が同じであるためＰＡＩＤ−ｙ’≧０を満足し、受信端末はＣａｓｅ  Ｒｘ２によってｘ’を算出する。この際、ｘ’は以下の数式を満足するようになる。
【０１３７】
【数６】
2020099095.tif 000008
【０１３８】
つまり、ｘ’＝ｘを満足し、ｘ’（８−Ｎ＋１：８）＝ｘ（８−Ｎ＋１：８）である。各端末のＡＩＤが上述した規則に従って割り当てられれば、同じＢＳＳの端末は同じＡＩＤ（８−Ｎ＋１：８）値を有するようになる。よって、Ｘ’（８−Ｎ＋１：８）は受信端末のＡＩＤ（８−Ｎ＋１：８）と一致するようになり、受信端末は該当フレームをｉｎｔｒａ−ＢＳＳフレームと判断する。
【０１３９】
次に、端末が受信したフレームがｉｎｔｅｒ−ＢＳＳフレームであれば、受信端末は以下のように判断する。端末がｉｎｔｅｒ−ＢＳＳフレームを受信したら、ｙとｙ’は互いに異なるＢＳＳＩＤに基づいて決定されるため、ｙとｙ’は互いに異なる値を表す確立が高い。
【０１４０】
Ｂ−１）送信端末がＣａｓｅ  Ｔｘ１によってＰＡＩＤを算出し、受信端末がＣａｓｅ  ＲＸ１によってｘ’を算出する場合
この際、ｘ’は以下の数式を満足するようになる。
【０１４１】
【数７】
2020099095.tif 000009
【０１４２】
よって、ｙとｙ’が異なればｘ’とｘは異なる。ｙとｙ’の下位５−ビットは全て０であるため、ｘ’（５：８）とｘ（５：８）は互いに異なる。Ｎが４以下の値に設定されれば、ｘ’（８−Ｎ＋１：８）はｘ’（５：８）の少なくとも一部のビットを指し、ｘ（８−Ｎ＋１：８）はｘ（５：８）の少なくとも一部のビットを指す。よって、Ｘ’（８−Ｎ＋１：８）とｘ（８−Ｎ＋１：８）が互いに異なる確率が高い。結果的に、ｘ’（８−Ｎ＋１：８）は受信端末のＡＩＤ（８−Ｎ＋１：８）と異なる確率が高い。それによって、受信端末は該当フレームをｉｎｔｅｒ−ＢＳＳフレームと判断する確率が高い。
【０１４３】
Ｂ−２）送信端末がＣａｓｅ  Ｔｘ２によってＰＡＩＤを算出し、受信端末がＣａｓｅ  ＲＸ１によってｘ’を算出する場合
この際、ｘ’は以下の数式を満足するようになる。
【０１４４】
【数８】
2020099095.tif 000010
【０１４５】
この際、−２＾９＜ｙ−ｙ’＜２＾９を満足するため、ｙとｙ’が異なればｘ’とｘは異なる。上述したように、ｘ’とｘが異なれば、Ｘ’（８−Ｎ＋１：８）とｘ（８−Ｎ＋１：８）が互いに異なる確率が高い。結果的に、Ｘ’（８−Ｎ＋１：８）は受信端末のＡＩＤ（８−Ｎ＋１：８）と異なる確率が高い。それによって、受信端末は該当フレームをｉｎｔｅｒ−ＢＳＳフレームと判断する確率が高い。
【０１４６】
Ｂ−３）送信端末がＣａｓｅ  Ｔｘ１によってＰＡＩＤを算出し、受信端末がＣａｓｅ  ＲＸ２によってｘ’を算出する場合
この際、ｘ’は以下の数式を満足するようになる。
【０１４７】
【数９】
2020099095.tif 000011
【０１４８】
この際、−２＾９＜ｙ−ｙ’＜２＾９を満足するため、ｙとｙ’が異なればｘ’とｘは異なる。上述したように、ｘ’とｘが異なれば、ｘ’（８−Ｎ＋１：８）とｘ（８−Ｎ＋１：８）が互いに異なる確率が高い。結果的に、ｘ’（８−Ｎ＋１：８）は受信端末のＡＩＤ（８−Ｎ＋１：８）と異なる確率が高い。それによって、受信端末は該当フレームをｉｎｔｅｒ−ＢＳＳフレームと判断する確率が高い。
【０１４９】
Ｂ−４）送信端末がＣａｓｅ  Ｔｘ２によってＰＡＩＤを算出し、受信端末がＣａｓｅ  ＲＸ２によってｘ’を算出する場合
この際、ｘ’は以下の数式を満足するようになる。
【０１５０】
【数１０】
2020099095.tif 000012
【０１５１】
ｙとｙ’が異なれば、ｘ’とｘは異なる。上述したように、ｘ’とｘが異なれば、ｘ’（８−Ｎ＋１：８）とｘ（８−Ｎ＋１：８）が互いに異なる確率が高い。結果的に、ｘ’（８−Ｎ＋１：８）は受信端末のＡＩＤ（８−Ｎ＋１：８）と異なる確率が高い。それによって、受信端末は該当フレームをｉｎｔｅｒ−ＢＳＳフレームと判断する確率が高い。
【０１５２】
一方、受信されたフレームのＰＡＩＤ（８−Ｎ＋１：８）と端末のＰＡＩＤ（８−Ｎ＋１：８）を比較する判断方法は、ｉｎｔｅｒ−ＢＳＳフレームをｉｎｔｒａ−ＢＳＳフレームに間違って判断する可能性と、ｉｎｔｒａ−ＢＳＳフレームをｉｎｔｅｒ−ＢＳＳフレームに間違って判断する可能性の両方を有する。しかし、図１３の実施例による判断方法は、ｉｎｔｅｒ−ＢＳＳフレームをｉｎｔｒａ−ＢＳＳフレームに間違って判断する可能性はあるが、ｉｎｔｒａ−ＢＳＳフレームをｉｎｔｅｒ−ＢＳＳフレームに間違って判断する可能性はなくなる。
【０１５３】
本発明の追加的な実施例によると、端末はｘ’（８−Ｎ＋１：８）とｙ’（８−Ｎ＋１：８）を利用して算出された値を部分ＢＳＳカラー値（つまり、ＢＣＢ情報）と比較して、ｉｎｔｒａ／ｉｎｔｅｒ−ＢＳＳフレームの判断を行う。より詳しくは、ｘ’（８−Ｎ＋１：８）−ｙ’（８−Ｎ＋１：８）の値が０より小さければ、端末はｘ’（８−Ｎ＋１：８）−ｙ’（８−Ｎ＋１：８）＋２＾Ｎ値が端末に知られている部分ＢＳＳカラー値と一致するのかを判断する。一致すれば端末は受信されたフレームをｉｎｔｒａ−ＢＳＳと判断し、一致しなければ端末は受信されたフレームをｉｎｔｅｒ−ＢＳＳフレームと判断する。一方、ｘ’（８−Ｎ＋１：８）−ｙ’（８−Ｎ＋１：８）の値が０より大きいか同じであれば、端末はｘ’（８−Ｎ＋１：８）−ｙ’（８−Ｎ＋１：８）値が端末に知られている部分ＢＳＳカラー値と一致するのかを判断する。一致すれば端末は受信されたフレームをｉｎｔｒａ−ＢＳＳと判断し、一致しなければ端末は受信されたフレームをｉｎｔｅｒ−ＢＳＳフレームと判断する。
【０１５４】
上述した図１２乃至図１４の実施例による判断方法は、端末がＰＡＩＤ値決定の曖昧性が存在することを確認すれば行われる。一実施例として、端末がＰＡＩＤ決定の曖昧性が存在しないことを確認すれば、端末は受信されたフレームのＰＡＩＤ（８−Ｎ＋１：８）を端末のＰＡＩＤ（８−Ｎ＋１：８）と比較してｉｎｔｒａ／ｉｎｔｅｒ−ＢＳＳフレームの判断を行う。つまり、受信されたフレームから抽出されたＰＡＩＤ（８−Ｎ＋１：８）が端末のＰＡＩＤ（８−Ｎ＋１：８）と一致すれば、端末は受信されたフレームをｉｎｔｒａ−ＢＳＳフレームと判断する。しかし、受信されたフレームから抽出されたＰＡＩＤ（８−Ｎ＋１：８）が端末のＰＡＩＤ（８−Ｎ＋１：８）と一致しなければ、端末は受信されたフレームをｉｎｔｅｒ−ＢＳＳフレームと判断する。
【０１５５】
ＰＡＩＤ値決定の曖昧性が存在するのか否かは、多様な実施例によって端末に認知される。一実施例によると、ｙ（５：８−Ｎ＋１−１）が全て０であれば端末は曖昧性が存在すると判断し、そうでなければ曖昧性が存在しないと判断する。他の実施例によると、Ｎ＝４に設定されれば端末は曖昧性が存在しないと判断し、Ｎが１から３までのいずれか一つの値であれば端末は曖昧性が存在すると判断する。ここで、ＮはＡＩＤ割当の際に使用される部分ＢＳＳカラーのビット個数及びＢＳＳＩＤ情報のビット個数を示す。他の実施例によると、端末は図１５及び図１６で説明される方法でＰＡＩＤ値決定の曖昧性が存在するのか否かを認知する。
【０１５６】
図１５は、本発明の他の実施例によるノンレガシーエレメントフォーマットを示す図である。図１５のノンレガシーエレメントのフィールドのうち、図９で説明されたノンレガシーエレメントのフィールドと同じ部分に対しては重複した説明を省略する。
【０１５７】
図１５を参照すると、ノンレガシーエレメントは「エレメントＩＤ」フィールド、「長さ」フィールド、及び「部分ＢＳＳカラー情報」フィールドを含む。また、「部分ＢＳＳカラー情報」フィールドは、「ＡＩＤに使用される部分ＢＳＳカラービット個数」フィールド、「部分ＢＳＳカラービット」フィールド、及び「曖昧性」フィールドを含む。一実施例によると、「部分ＢＳＳカラー情報」フィールドは、３−ビットの「ＡＩＤに使用される部分ＢＳＳカラービット個数」フィールド、４−ビットの「部分ＢＳＳカラービット」フィールド、及び１−ビットの「曖昧性」フィールドを含む。「曖昧性」フィールドはフラッグ値を介してＰＡＩＤ値決定の曖昧性が存在し得るのか否かをシグナリングする。
【０１５８】
図１６は、本発明の他の実施例による部分ＢＳＳカラービット個数情報及び曖昧性情報シグなリング方法を示す図である。本発明の実施例によると、ノンレガシーエレメントの「ＡＩＤに使用される部分ＢＳＳカラービット個数」フィールドは、上述した曖昧性が存在し得るのか否かをシグナリングする。より詳しくは、「ＡＩＤに使用される部分ＢＳＳカラービット個数」フィールドは、予め設定されたインデックスを介して、ＡＩＤ割当に使用される部分ＢＳＳカラービット個数及び前記曖昧性が存在し得るのか否かを共に示す。例えば、インデックス１乃至４はそれぞれＡＩＤ割当に使用される部分ＢＳＳカラービット個数が１乃至４であり、前記曖昧性が存在しないことを示す。一方、ＡＩＤ割当に使用される部分ＢＳＳカラービット個数が４であれば、ＰＡＩＤ値決定の曖昧性が存在しない。よって、インデックス５乃至７はそれぞれＡＩＤ割当に使用される部分ＢＳＳカラービット個数が１乃至３であり、前記曖昧性が存在し得ることを追加的に示す。
【０１５９】
図１７は、本発明の第２実施例によるＡＩＤ割当情報及びノンレガシーエレメントフォーマットを示す図である。図１７（ａ)は本発明の他の実施例によるＡＩＤ割当方法を示し、図１７（ｂ)はそれに対応するノンレガシーエレメントフォーマットを示す。
【０１６０】
まず、図１７（ａ)を参照すると、本発明の第２実施例によるＡＩＤ割当方法は下記数式９のように表される。
【０１６１】
【数１１】
2020099095.tif 000013
【０１６２】
ここで、Ｎは４である。
【０１６３】
本発明の第２実施例によるＡＩＤ割当方法は数式２を介して説明した第１実施例によるＡＩＤ割当方法と同じであるが、Ｎは４に限定される。より詳しくは、ＡＩＤの予め設定されたＮ−ビットはＢＳＳカラーの最小有効Ｎ−ビット（ら）の値（つまり、部分ＢＳＳカラー値）とＢＳＳＩＤに基づくＮ−ビット値を利用して決定される。つまり、ＡＩＤの予め設定されたＮ−ビットは、部分ＢＳＳカラーの最小有効Ｎ−ビット（ら）の値とＢＳＳＩＤに基づくＮ−ビット値を合算した値にモデューロ演算して決定される。この際、ＡＩＤの予め設定されたＮ−ビット（ら）はＡＩＤのビット８−Ｎ＋１からビット８までのビット（ら）であり、Ｎは４に設定される。上述した図１のＰＡＩＤ設定規則に従うと、ＰＡＩＤ設定のために使用されるＢＳＳＩＤに基づく値の有効ビット個数Ｋは４に設定される。本発明の実施例によると、ＡＩＤ割当規則において、ＮがＰＡＩＤ設定時に使用されるＫと同じ値である４に設定されることでＰＡＩＤ値決定の曖昧性が除去される。
【０１６４】
図１７（ｂ）を参照すると、ノンレガシーエレメントの「部分ＢＳＳカラー情報」フィールドは、１−ビットの「部分ＢＳＳカラービット指示」フィールド及び４−ビットの「部分ＢＳＳカラービット」フィールドを含む。「部分ＢＳＳカラービット指示」フィールドは、該当ＢＳＳが部分ＢＳＳカラービットを利用したＡＩＤ割当規則を適用するのか否かを指示する。前記フィールドが１に設定されると、Ｎ−ビット（ここで、Ｎは４）の部分ＢＳＳカラー値がＡＩＤ割当に使用される。しかし、前記フィールドが０に設定されると、ＡＩＤ割当に部分ＢＳＳカラーが使用されない。図１７の実施例によると、ＡＩＤ割当に使用される部分ＢＳＳカラーのビット個数Ｎが固定されている。よって、ノンレガシーエレメントは１−ビットの「部分ＢＳＳカラービット指示」フィールドを介して部分ＢＳＳカラーがＡＩＤ割当に使用されるのか否かを指示する。
【０１６５】
本発明によるまた他の実施例によると、ノンレガシーエレメントの「部分ＢＳＳカラー情報」フィールドは別途の「部分ＢＳＳカラービット指示」フィールドなしに「部分ＢＳＳカラービット」フィールドのみを含んでもよい。「部分ＢＳＳカラー情報」フィールドを介して「部分ＢＳＳカラービット」フィールド情報がシグなリングされると、該当ノンレガシーエレメントを受信した端末は部分ＢＳＳカラー値がＡＩＤ割当に利用されたと認知する。
【０１６６】
図１８は、本発明の第３実施例によるＡＩＤ割当方法を示す図である。図１８を参照すると、第３実施例によるＡＩＤ割当方法は下記数式１０のように表される。
【０１６７】
【数１２】
2020099095.tif 000014
【０１６８】
ここで、Ｎは１から４までのいずれか一つの整数である。
【０１６９】
本発明の第３実施例によると、ＡＩＤのビット８−Ｎ＋１からビット８までのビット（ら）が数式１０の規則従って設定される。数式１０の実施例によると、ＡＩＤの予め設定されたＮ−ビット（ら）はＢＳＢ情報からＢＳＳＩＤ情報を差し引いた値に基づいて決定される。この際、ＡＩＤの予め設定されたＮ−ビット（ら）はＡＩＤのビット８−Ｎ＋１からビット８までのビット（ら）である。より詳しくは、ＡＩＤの予め設定されたＮ−ビット（ら）はＢＳＳカラーの最小有効Ｎ−ビット（ら）の値（つまり、部分ＢＳＳカラー値）からＢＳＳＩＤに基づくＮ−ビット値を差し引いて決定される。ＢＳＳＩＤに基づくＮ−ビット値は、ＢＳＳＩＤの第１予め設定されたＮ−ビット（ら）とＢＳＳＩＤの第２予め設定されたＮ−ビット（ら）の排他的論理合を示す。数式１０の実施例において、第１予め設定されたＮ−ビット（ら）はビット４７−Ｎ＋１からビット４７までのビット（ら）を指し、第２予め設定されたＮ−ビット（ら）はビット４３−Ｎ＋１からビット４３までのビット（ら）を指す。
【０１７０】
もし、部分ＢＳＳカラー値からＢＳＳＩＤに基づくＮ−ビット値を差し引いた値が０より小さければ、ＡＩＤの予め設定されたＮ−ビット（ら）は部分ＢＳＳカラー値からＢＳＳＩＤに基づくＮ−ビット値を差し引いた値に２＾Ｎを合算して決定される。しかし、部分ＢＳＳカラー値からＢＳＳＩＤに基づくＮ−ビット値を差し引いた値が０より大きいか同じであれば、ＡＩＤの予め設定されたＮ−ビット（ら）は部分ＢＳＳカラー値からＢＳＳＩＤに基づくＮ−ビット値を差し引いた値によって決定される。
【０１７１】
数式１０の規則に従ってＡＩＤが割り当てられると、ＡＩＤの予め設定されたＮ−ビット（ら）及びそれに対応するＰＡＩＤの上位Ｎ−ビット（ら）はＢＳＳ識別力を有するようになる。よって、受信されたフレームがＶＨＴ  ＰＰＤＵであれば（そして、受信されたフレームから抽出されたグループＩＤが６３であれば）、端末は受信されたフレームから抽出されたＰＡＩＤの上位Ｎ−ビット（ら）を端末に知られている部分ＢＳＳカラーと比較してｉｎｔｒａ−ＢＳＳフレームとｉｎｔｅｒ−ＢＳＳフレームの判断を行う。もし、ＰＡＩＤの上位Ｎ−ビット（ら）が端末に知られている部分ＢＳＳカラーと一致すれば、端末は受信されたフレームをｉｎｔｒａ−ＢＳＳフレームと判断する。しかし、ＰＡＩＤの上位Ｎ−ビット（ら）が端末に知られている部分ＢＳＳカラーと一致しなければ、端末は受信されたフレームをｉｎｔｅｒ−ＢＳＳフレームと判断する。
【０１７２】
図１９は、本発明の第４実施例によるＡＩＤ割当方法を示す図である。図１８を参照すると、本発明の第４実施例によるＡＩＤ割当方法は下記数式１１のように表される。
【０１７３】
【数１３】
2020099095.tif 000015
【０１７４】
ここで、Ｎは１から４までのいずれか一つの整数である。
【０１７５】
本発明の第４実施例によると、ＡＩＤのビット５からビット５＋Ｎ−１までのビット（ら）が数式１１の規則従って設定される。数式１１の実施例によると、ＡＩＤの予め設定されたＮ−ビット（ら）はＢＳＳカラーの最小有効Ｎ−ビット（ら）の値（つまり、部分ＢＳＳカラー値）とＢＳＳＩＤに基づくＮ−ビット値を合算した値にモデューロ演算して決定される。この際、ＡＩＤの予め設定されたＮ−ビット（ら）はＡＩＤのビット５からビット５＋Ｎ−１までのビット（ら）である。ＢＳＳＩＤに基づくＮ−ビット値は、ＢＳＳＩＤの第１予め設定されたＮ−ビット（ら）とＢＳＳＩＤの第２予め設定されたＮ−ビット（ら）の排他的論理合を示す。数式１１の実施例において、第１予め設定されたＮ−ビット（ら）はビット４４からビット４４＋Ｎ−１までのビット（ら）を指し、第２予め設定されたＮ−ビット（ら）はビット４０からビット４０＋Ｎ−１までのビット（ら）を指す。
【０１７６】
図１１で上述したように、ＰＡＩＤ算出過程において、ｙの下位５−ビットは全て０に設定される（つまり、「０００００」）。この際、数式１１の規則に従ってＡＩＤのビット５からビット５＋Ｎ−１までのビット（ら）が設定されると、ＰＡＩＤ（５：５＋Ｎ−１）はＢＳＳ内で固定された値を有するようになる。よって、数式１１の規則に従ってＡＩＤが割り当てられると、ＰＡＩＤ値決定の曖昧性が防止される。また、ＰＡＩＤの予め設定されたビット、つまり、ＰＡＩＤ（５：５＋Ｎ−１）がＢＳＳ識別力を有するようになる。よって、受信されたフレームがＶＨＴ  ＰＰＤＵであれば（そして、受信されたフレームから抽出されたグループＩＤが６３であれば）、端末は受信されたフレームから抽出されたＰＡＩＤのＰＡＩＤ（５：５＋Ｎ−１）を端末が結合されたＢＳＳのＰＡＩＤ（５：５＋Ｎ−１）と比較してｉｎｔｒａ−ＢＳＳフレームとｉｎｔｅｒ−ＢＳＳフレームの判断を行う。もし、受信されたフレームのＰＡＩＤ（５：５＋Ｎ−１）が端末が結合されたＢＳＳのＰＡＩＤ（５：５＋Ｎ−１）と一致すれば、端末は受信されたフレームをｉｎｔｒａ−ＢＳＳフレームと判断する。しかし、受信されたフレームのＰＡＩＤ（５：５＋Ｎ−１）が端末が結合されたＢＳＳのＰＡＩＤ（５：５＋Ｎ−１）と一致しなければ、端末は受信されたフレームをｉｎｔｅｒ−ＢＳＳフレームと判断する。
【０１７７】
図２０及び図２１は、本発明の第５実施例によるＡＩＤ割当方法を示す図である。まず、図２０を参照すると、本発明の第５実施例によるＡＩＤ割当方法は下記数式１２のように表される。
【０１７８】
【数１４】
2020099095.tif 000016
【０１７９】
ここで、Ｎは１から４までのいずれか一つの整数である。
【０１８０】
本発明の第５実施例によると、ＡＩＤのビット５からビット５＋Ｎ−１までのビット（ら）が数式１２の規則に従って設定される。数式１２の実施例によると、ＡＩＤの予め設定されたＮ−ビット（ら）はＢＣＢ情報からＢＳＳＩＤ情報を差し引いた値に基づいて決定される。より詳しくは、ＡＩＤの予め設定されたＮ−ビット（ら）はＢＳＳカラーの最小有効Ｎ−ビット（ら）の値（つまり、部分ＢＳＳカラー値）からＢＳＳＩＤに基づくＮ−ビット値を差し引いた値にモデューロ演算して決定される。この際、ＡＩＤの予め設定されたＮ−ビット（ら）はＡＩＤのビット５からビット５＋Ｎ−１までのビット（ら）である。ＢＳＳＩＤに基づくＮ−ビット値は、ＢＳＳＩＤの第１予め設定されたＮ−ビット（ら）とＢＳＳＩＤの第２予め設定されたＮ−ビット（ら）の排他的論理合を示す。数式１２の実施例において、第１予め設定されたＮ−ビット（ら）はビット４４からビット４４＋Ｎ−１までのビット（ら）を指し、第２予め設定されたＮ−ビット（ら）はビット４０からビット４０＋Ｎ−１までのビット（ら）を指す。
【０１８１】
本発明の第５実施例によるＡＩＤ割当方法は、図２１及び下記数式１３のように表される。
【０１８２】
【数１５】
2020099095.tif 000017
【０１８３】
ここで、Ｎは１から４までのいずれか一つの整数である。
【０１８４】
数式１３を参照すると、部分ＢＳＳカラー値からＢＳＳＩＤに基づくＮ−ビット値を差し引いた値が０より小さければ、ＡＩＤの予め設定されたＮ−ビット（ら）は部分ＢＳＳカラー値からＢＳＳＩＤに基づくＮ−ビット値を差し引いた値に２＾Ｎを合算して決定される。しかし、部分ＢＳＳカラー値からＢＳＳＩＤに基づくＮ−ビット値を差し引いた値が０より大きいか同じであれば、ＡＩＤの予め設定されたＮ−ビット（ら）は部分ＢＳＳカラー値からＢＳＳＩＤに基づくＮ−ビット値を差し引いた値によって決定される。
【０１８５】
図１１で上述したように、ＰＡＩＤ算出過程において、ｙの下位５−ビットは全て０に設定される（つまり、「０００００」）。この際、数式１２及び数式１３の規則に従って、ＡＩＤのビット５からビット５＋Ｎ−１までのビット（ら）が設定されると、ＰＡＩＤ［５：５＋Ｎ−１］はＢＳＳ内で固定された値を有するようになる。よって、数式１２及び数式１３の規則に従ってＡＩＤが割り当てられると、ＰＡＩＤ値決定の曖昧性が防止される。
【０１８６】
また、数式１２及び数式１３の規則に従ってＡＩＤが割り当てられると、数式１の実施例によってＰＡＩＤを設定する際にＢＳＳＩＤに基づくＫ−ビット値（つまり、図１１のｙ）の少なくとも一部がＢＳＳＩＤに基づくＮ−ビット値と相殺される。よって、ＰＡＩＤの予め設定されたビット（つまり、ＰＡＩＤ［５：５＋Ｎ−１］）は該当フレームの意図された受信者に知られている部分ＢＳＳカラー値を示すようになる。よって、受信されたフレームがＶＨＴ  ＰＰＤＵであれば（そして、受信されたフレームから抽出されたグループＩＤが６３であれば）、端末は受信されたフレームから抽出されたＰＡＩＤの予め設定されたビットを端末に知られている部分ＢＳＳカラーと比較してｉｎｔｒａ−ＢＳＳフレームとｉｎｔｅｒ−ＢＳＳフレームの判断を行う。もし、ＰＡＩＤ予め設定されたビットが端末に知られている部分ＢＳＳカラーと一致すれば、端末は受信されたフレームをｉｎｔｒａ−ＢＳＳフレームと判断する。しかし、ＰＡＩＤ予め設定されたビットが端末に知られている部分ＢＳＳカラーと一致しなければ、端末は受信されたフレームをｉｎｔｅｒ−ＢＳＳフレームと判断する。
【０１８７】
以下、本発明の第５実施例によるＡＩＤ割当方法が使用されれば、ＰＡＩＤの予め設定されたビット（つまり、ＰＡＩＤ［５：５＋Ｎ−１］）が部分ＢＳＳカラー値を示すようになる理由をより詳細に説明する。受信されたフレームがＶＨＴ  ＰＰＵＤで下りＳＵフレームであれば、該当フレームから抽出されたＰＡＩＤは上述した数式１に従って決定される。この際、ＡＩＤ［０：８］を下位５−ビット（つまり、ＡＩＤ［０：４］）、次の５−ビット（ら）（つまり、ＡＩＤ［５：５＋Ｎ−１］）、及び残りのビット（ら）（つまり、ＡＩＤ［５＋Ｎ：８］）に分けて記すと、数式１４のようである。
【０１８８】
【数１６】
2020099095.tif 000018
【０１８９】
（Ｃａｓｅ  ａ）ｄｅｃ（ＢＣＢ［０：Ｎ−１］−ｄｅｃ（ＢＳＳＩＤ［４４：４４＋Ｎ−１］  ＸＯＲ  ＢＳＳＩＤ［４０：４０＋Ｎ−１］））＜０である場合
０≦ｄｅｃ（ＢＣＢ［０：Ｎ−１］）＜２＾Ｎで、０≦ｄｅｃ（ＢＳＳＩＤ［４４：４４＋Ｎ−１］  ＸＯＲ  ＢＳＳＩＤ［４０：４０＋Ｎ−１］））＜２＾Ｎであるため、ＡＩＤ［５：５＋Ｎ−１］は数式１３のｉｆ条件に従って以下のように決定される。
【０１９０】
【数１７】
2020099095.tif 000019
【０１９１】
（Ｃａｓｅ  ａ−１）Ｎが４ではない場合
数式１５を数数式１４に代入すると、以下の数式のようである。
【０１９２】
【数１８】
2020099095.tif 000020
【０１９３】
ここで、ＢＳＳＩＤに基づく値の一部、つまり、ｄｅｃ（ＢＳＳＩＤ［４４：４４＋Ｎ−１］  ＸＯＲ  ＢＳＳＩＤ［４０：４０＋Ｎ−１］）が相殺されて、以下の数式のように整理される。
【０１９４】
【数１９】
2020099095.tif 000021
【０１９５】
数式１７を参照すると、ＰＡＩＤ［５：５＋Ｎ−１］に影響を及ぼす要素はｄｅｃ（ＢＣＢ［０：Ｎ−１］）＊２＾５のみである。よって、ＰＡＩＤ［５：５＋Ｎ−１］はＢＣＢ［０：Ｎ−１］と同じ値を有するようになる。
【０１９６】
（Ｃａｓｅ  ａ-２）Ｎが４である場合
Ｎが４であれば、数式１５のｄｅｃ（ＢＳＳＩＤ［４４：４４＋Ｎ−１］  ＸＯＲ  ＢＳＳＩＤ［４０：４０＋Ｎ−１］）は数式１４のｄｅｃ（ＢＳＳＩＤ［４４：４７］  ＸＯＲ  ＢＳＳＩＤ［４０：４３］）と同じである。よって、数式１５を数数式１４に代入すると、以下の数式のようである。
【０１９７】
【数２０】
2020099095.tif 000022
【０１９８】
数式１８を参照すると、ＰＡＩＤ［５：５＋Ｎ−１］に影響を及ぼす要素はｄｅｃ（ＢＣＢ［０：Ｎ−１］）＊２＾５のみである。よって、ＰＡＩＤ［５：５＋Ｎ−１］はＢＣＢ［０：Ｎ−１］と同じ値を有するようになる。
【０１９９】
（Ｃａｓｅ  ｂ）ｄｅｃ（ＢＣＢ［０：Ｎ−１］−ｄｅｃ（ＢＳＳＩＤ［４４：４４＋Ｎ−１］  ＸＯＲ  ＢＳＳＩＤ［４０：４０＋Ｎ−１］））≧０である場合
０≦ｄｅｃ（ＢＣＢ［０：Ｎ−１］）＜２＾Ｎで、０≦ｄｅｃ（ＢＳＳＩＤ［４４：４４＋Ｎ−１］  ＸＯＲ  ＢＳＳＩＤ［４０：４０＋Ｎ−１］））＜２＾Ｎであるため、ＡＩＤ［５：５＋Ｎ−１］は数式１３のｅｌｓｅ条件に従って以下のように決定される。
【０２００】
【数２１】
2020099095.tif 000023
【０２０１】
（Ｃａｓｅ  ｂ−１）Ｎが４ではない場合
数式１９を数数式１４に代入すると、以下の数式のようである。
【０２０２】
【数２２】
2020099095.tif 000024
【０２０３】
ここで、ＢＳＳＩＤに基づく値の一部、つまり、ｄｅｃ（ＢＳＳＩＤ［４４：４４＋Ｎ−１］  ＸＯＲ  ＢＳＳＩＤ［４０：４０＋Ｎ−１］）が相殺されて、以下の数式のように整理される。
【０２０４】
【数２３】
2020099095.tif 000025
【０２０５】
数式２１を参照すると、ＰＡＩＤ［５：５＋Ｎ−１］に影響を及ぼす要素はｄｅｃ（ＢＣＢ［０：Ｎ−１］）＊２＾５のみである。よって、ＰＡＩＤ［５：５＋Ｎ−１］はＢＣＢ［０：Ｎ−１］と同じ値を有するようになる。
【０２０６】
（Ｃａｓｅ  ａ-２）Ｎが４である場合
Ｎが４であれば、数式１９のｄｅｃ（ＢＳＳＩＤ［４４：４４＋Ｎ−１］  ＸＯＲ  ＢＳＳＩＤ［４０：４０＋Ｎ−１］）は数式１４のｄｅｃ（ＢＳＳＩＤ［４４：４７］  ＸＯＲ  ＢＳＳＩＤ［４０：４３］）と同じである。よって、数式１９を数数式１４に代入すると、以下の数式のようである。
【０２０７】
【数２４】
2020099095.tif 000026
【０２０８】
数式２２を参照すると、ＰＡＩＤ［５：５＋Ｎ−１］に影響を及ぼす要素はｄｅｃ（ＢＣＢ［０：Ｎ−１］）＊２＾５のみである。よって、ＰＡＩＤ［５：５＋Ｎ−１］はＢＣＢ［０：Ｎ−１］と同じ値を有するようになる。
【０２０９】
このように、全てのケースにおいて、ＰＡＩＤの設定されたビット、つまり、ＰＡＩＤ［５：５＋Ｎ−１］は部分ＢＳＳカラー値、つまり、ＢＣＢ［０：Ｎ−１］と同じ値を有するようになる。
【０２１０】
図２２は、本発明の第３実施例によるｉｎｔｒａ−ＢＳＳフレームとｉｎｔｅｒ−ＢＳＳフレームの判断方法を示す図である。図２２に示したｉｎｔｒａ−ＢＳＳフレーム及びｉｎｔｅｒ−ＢＳＳフレームの判断方法は、図２０及び図２１を介して説明した第５実施例によってＡＩＤが割り当てられる場合に使用される。
【０２１１】
まず、端末は無線フレームを受信し、受信されたフレームからグループＩＤ及びＰＡＩＤ情報を抽出する（Ｓ２２１０）。受信されたフレームがＶＨＴ  ＰＰＤＵであれば、該当フレームのＲＸＶＥＣＴＯＲパラメータはグループＩＤ及びＰＡＩＤを含む。よって、受信されたフレームがＶＨＴ  ＰＰＤＵであれば、端末はＶＨＴ  ＰＰＤＵのプリアンブルからグループＩＤ及びＰＡＩＤ情報を抽出する。
【０２１２】
次に、端末は抽出されたグループＩＤがいかなる情報を示すのかを確認する（Ｓ２２２０）。より詳しくは、端末は抽出されたグループＩＤ情報が０であるのか或いは６３であるのかを確認する。図８の実施例で上述したように、グループＩＤ  ０は該当フレームが上りフレームであることを示す。また、グループＩＤ  ６３は該当フレームが下りフレームであることを示す。つまり、端末は抽出されたグループＩＤ情報を介し、該当フレームが上りフレームなのかまたは下りフレームなのかを識別する。
【０２１３】
抽出されたグループＩＤ情報が０であれば（つまり、上りフレームを指示すれば）、端末はフレームから抽出されたＰＡＩＤが端末が結合されたＢＳＳのＢＳＳＩＤの特定ビット値と一致するのか否かを確認する（Ｓ２２３０）。この際、ＢＳＳＩＤの特定ビット値はＢＢＳＩＤ［３９：４７］である。図８で上述したように、上りフレームであればＰＡＩＤはＢＳＳＩＤ［３９：４７］に設定されるため、端末は受信されたフレームのＰＡＩＤと端末が結合されたＢＳＳのＢＳＳＩＤ［３８：４７］が一致するのか否かに応じて該当フレームがｉｎｔｒａ−ＢＳＳフレームであるのかまたはｉｎｔｅｒ−ＢＳＳフレームであるのかを判断する。もし、ＰＡＩＤがＢＳＳＩＤ［３９：４７］と一致すれば、端末は受信されたフレームをｉｎｔｒａ−ＢＳＳフレームと判断する（Ｓ２２３２）。しかし、ＰＡＩＤがＢＳＳＩＤ［３９：４７］と一致しなければ、端末は受信されたフレームをｉｎｔｅｒ−ＢＳＳフレームと判断する（Ｓ２２３４）。
【０２１４】
一方、抽出されたグループＩＤ情報が６３であれば（つまり、下りフレームを指示すれば）、端末はフレームから抽出されたＰＡＩＤが端末に知られている部分ＢＳＳカラーと一致するのか否かを確認する（Ｓ２２４０）。この際、ＰＡＩＤ情報はＰＡＩＤの予め設定されたビット（ら）を指す。図２２の実施例において、ＰＡＩＤの予め設定されたビット（ら）はＰＡＩＤ［５：５＋Ｎ−１］を指す。また、端末に知られている部分ＢＳＳカラーは、該当端末が結合されたＡＰによって知られている部分ＢＳＳカラーを指す。本発明の第５実施例によってＡＩＤが割り当てられる場合、ＰＡＩＤが設定されればＢＳＳＩＤに基づくＫ−ビット値の少なくとも一部分がＢＳＳＩＤに基づくＮ−ビット値と相殺される。よって、ＰＡＩＤの予め設定されたビット（つまり、ＰＡＩＤ［５：５＋Ｎ−１］）は該当フレームの意図された受信者に知られている部分ＢＳＳカラーを示すようになる。よって、端末は受信されたフレームのＰＡＩＤが予め設定されたビットと端末に知られている部分ＢＳＳカラーが一致するのか否かに応じて該当フレームがｉｎｔｒａ−ＢＳＳフレームであるのかまたはｉｎｔｅｒ−ＢＳＳフレームであるのかを判断する。もし、ＰＡＩＤ予め設定されたビットが端末に知られている部分ＢＳＳカラーと一致すれば、端末は受信されたフレームをｉｎｔｒａ−ＢＳＳフレームと判断する（Ｓ２２４２）。しかし、ＰＡＩＤ予め設定されたビットが端末に知られている部分ＢＳＳカラーと一致しなければ、端末は受信されたフレームをｉｎｔｅｒ−ＢＳＳフレームと判断する（Ｓ２２４４）。
【０２１５】
本発明の一実施例によると、抽出されたグループＩＤ情報が６３である際のｉｎｔｒａ−ＢＳＳフレーム及びｉｎｔｅｒ−ＢＳＳフレームの判断方法は、結合されたＡＰから最も最近に受信されたノンレガシーエレメントの「ＡＩＤに使用される部分ＢＳＳカラービット個数」フィールド値Ｎが０ではない場合にのみ行われる。本発明の他の実施例によると、抽出されたグループＩＤ情報が６３であれば、ｉｎｔｒａ−ＢＳＳフレーム及びｉｎｔｅｒ−ＢＳＳフレームの判断方法は、結合されたＡＰから最も最近に受信されたノンレガシーエレメントの「部分ＢＳＳカラービット指示」フィールドが１に設定される場合にのみ行われる。上述したように、「部分ＢＳＳカラービット指示」フィールドが１に設定されれば、部分ＢＳＳカラービットを利用したＡＩＤ割当規則が適用される。
【０２１６】
図２３は、本発明のまた他の実施例によるノンレガシーエレメントフォーマットを示す図である。図２３のノンレガシーエレメントのフィールドのうち、上述した実施例で説明されたノンレガシーエレメントのフィールドと同じ部分に対しては重複した説明を省略する。
【０２１７】
ＨＥ  ＢＳＳのＨＥ  ＳＴＡ（つまり、ノンレガシー端末）の動作は、ＨＴ動作エレメント、ＶＨＴ動作エレメント、ＨＥ動作エレメント（つまり、ノンレガシーエレメント）などによって制御される。上述したように、ノンレガシーエレメントは、ビーコンフレーム、プローブ要請フレーム、プローブ応答フレーム、結合要請フレーム、結合応答フレーム、再結合要請フレーム、再結合応答フレームなどに含まれる。また、ノンレガシーエレメントは、該当エレメントを単独に含むフレームを介して伝送されてもよい。図２３を参照すると、ノンレガシーエレメントは「エレメントＩＤ」フィールド、「長さ」フィールド、及び「ＨＥ動作パラメータ」フィールドを含む。また、「ＨＥ動作パラメータ」フィールドは「ＢＳＳカラー」フィールド、「部分ＢＳＳカラー長さ」フィールドを含む。
【０２１８】
「ＢＳＳカラー」フィールドは、ＢＳＳカラー値を示す。ＢＳＳカラーは、該当エレメントを伝送するＡＰが運営するＢＳＳのＢＳＳカラーを示す。また、ＢＳＳカラーは、該当エレメントを伝送するＳＴＡが結合されたＢＳＳのＢＳＳカラーを示してもよい。「ＢＳＳカラー」フィールドは６−ビットの長さを有し、符号のない整数の値を示す。一実施例によると、「ＢＳＳカラー」フィールドの値が０でなければＢＳＳカラーを示し、「ＢＳＳカラー」フィールドの値が０であれば該当ＢＳＳにＢＳＳカラーが設定されていないことを示す。
【０２１９】
「部分ＢＳＳカラー長さ」フィールドは、ＶＨＴ  ＰＰＤＵのＰＡＩＤを利用したｉｎｔｒａ／ｉｎｔｅｒ−ＢＳＳフレームの判断に関する情報を含む。例えば、「部分ＢＳＳカラー長さ」フィールドは、ＡＩＤ割当に使用される部分ＢＳＳカラーのビット個数Ｎを指示する。「部分ＢＳＳカラー長さ」フィールドは、上述した「ＡＩＤに使用される部分ＢＳＳカラービット個数」フィールドと同じ機能を行う。「部分ＢＳＳカラー長さ」フィールドは３−ビットの長さを有するが、本発明はこれに限らない。
【０２２０】
図２４は、本発明の第６実施例によるＡＩＤ割当方法を示す図である。まず、図２４を参照すると、本発明の第６実施例によるＡＩＤ割当方法は下記数式２３のように表される。
【０２２１】
【数２５】
2020099095.tif 000027
【０２２２】
ここで、Ｎは４である。
【０２２３】
本発明の第６実施例によると、ＡＩＤのビット８−Ｎ＋１からビット８までのビット（ら）が数式２３の規則従って設定される。数式２３の実施例によると、ＡＩＤの予め設定されたＮ−ビット（ら）はＢＳＢ情報からＢＳＳＩＤ情報を差し引いた値に基づいて決定される。より詳しくは、ＡＩＤの予め設定されたＮ−ビット（ら）はＢＳＳカラーの最小有効Ｎ−ビット（ら）の値（つまり、部分ＢＳＳカラー値）からＢＳＳＩＤに基づくＮ−ビット値を差し引いた値にモデューロ演算して決定される。この際、ＡＩＤの予め設定されたＮ−ビット（ら）はＡＩＤのビット８−Ｎ＋１からビット８までのビット（ら）である。ＢＳＳＩＤに基づくＮ−ビット値は、ＢＳＳＩＤの第１予め設定されたＮ−ビット（ら）とＢＳＳＩＤの第２予め設定されたＮ−ビット（ら）の排他的論理合を示す。数式２３の実施例において、第１予め設定されたＮ−ビット（ら）はビット４７−Ｎ＋１からビット４７までのビット（ら）を指し、第２予め設定されたＮ−ビット（ら）はビット４３−Ｎ＋１からビット４３までのビット（ら）を指す。
【０２２４】
図１１で上述したように、ＰＡＩＤ算出過程において、ｙの下位５−ビットは全て０に設定される（つまり、「０００００」）。この際、数式２３の規則に従って、ＡＩＤのビット５からビット８までのビット（ら）が設定されると、ＰＡＩＤ［５：８］はＢＳＳ内で固定された値を有するようになる。よって、数式２３の規則に従ってＡＩＤが割り当てられると、ＰＡＩＤ値決定の曖昧性が防止される。
【０２２５】
また、数式２３の規則に従ってＡＩＤが割り当てられると、数式１の実施例によってＰＡＩＤを設定する際にＢＳＳＩＤに基づくＫ−ビット値（つまり、図１１のｙ）がＢＳＳＩＤに基づくＮ−ビット値と相殺される。よって、ＰＡＩＤの予め設定されたビット（つまり、ＰＡＩＤ［８−Ｎ＋１：８］）は該当フレームの意図された受信者に知られている部分ＢＳＳカラー値を示すようになる。よって、受信されたフレームがＶＨＴ  ＰＰＤＵであれば（そして、受信されたフレームから抽出されたグループＩＤが６３であれば）、端末は受信されたフレームから抽出されたＰＡＩＤの予め設定されたビットを端末に知られている部分ＢＳＳカラーと比較してｉｎｔｒａ−ＢＳＳフレームとｉｎｔｅｒ−ＢＳＳフレームの判断を行う。この際、ＰＡＩＤの予め設定されたビットは、ＰＡＩＤの予め設定された４−ビット、つまり、ＰＡＩＤ［５：８］の値である。もし、ＰＡＩＤ予め設定されたビットが端末に知られている部分ＢＳＳカラーと一致すれば、端末は受信されたフレームをｉｎｔｒａ−ＢＳＳフレームと判断する。しかし、ＰＡＩＤ予め設定されたビットが端末に知られている部分ＢＳＳカラーと一致しなければ、端末は受信されたフレームをｉｎｔｅｒ−ＢＳＳフレームと判断する。
【０２２６】
本発明の実施例によると、ＰＡＩＤの予め設定されたビットが部分ＢＳＳカラー値を示すことで、該当フレームを受信した端末は追加的な情報を獲得するか計算する必要なく、ＰＡＩＤ情報を利用してｉｎｔｒａ−ＢＳＳフレームとｉｎｔｅｒ−ＢＳＳフレームの判断を行うことができる。
【０２２７】
図２５は、本発明の更に他の実施例によるノンレガシーエレメントフォーマットを示す図である。図２５のノンレガシーエレメントのフィールドのうち、上述した実施例で説明されたノンレガシーエレメントのフィールドと同じ部分に対しては重複した説明を省略する。
【０２２８】
図２５を参照すると、ノンレガシーエレメントは「エレメントＩＤ」フィールド、「長さ」フィールド、及び「ＨＥ動作パラメータ」フィールドを含む。また、「ＨＥ動作パラメータ」フィールドは「ＢＳＳカラー」フィールド、「部分ＢＳＳカラー指示」フィールドを含む。一実施例によると、ノンレガシーエレメントの「ＨＥ動作パラメータ」フィールドは、６−ビットの「ＢＳＳカラー」フィールドと１−ビットの「部分ＢＳＳカラー指示」フィールドを含む。
【０２２９】
「ＢＳＳカラー」フィールドは、図２３で上述したように、ＢＳＳカラー値を示す。「部分ＢＳＳカラービット指示」フィールドは、該当ＢＳＳが部分ＢＳＳカラービットを利用したＡＩＤ割当規則を適用したのか否かを指示する。前記フィールドが１に設定されると、Ｎ−ビット（ここで、Ｎは４）の部分ＢＳＳカラー値がＡＩＤ割当に使用される。しかし、前記フィールドが０に設定されればＡＩＤ割当に部分ＢＳＳカラーが使用されない。また、「部分ＢＳＳカラービット指示」フィールドは、ＶＨＴ  ＰＰＤＵのＰＡＩＤ情報を利用したｉｎｔｒａ／ｉｎｔｅｒ−ＢＳＳフレームの判断方法が使用されるのか否かを指示する。図２４の実施例によると、ＡＩＤ割当に使用される部分ＢＳＳカラービット個数Ｎが固定されている。よって、ノンレガシーエレメントは１−ビットの「部分ＢＳＳカラービット指示」フィールドを介して部分ＢＳＳカラーがＡＩＤ割当に使用されるのか否かを指示する。
【０２３０】
図２６は、本発明の第７実施例によるＡＩＤ割当方法を示す図である。図２６（ａ)はＮが４ではない場合のＡＩＤ割当方法を示し、図２６（ｂ）はＮが４である場合のＡＩＤ割当方法を示す。ここで、ＮはＡＩＤ割当に使用される部分ＢＳＳカラーのビット個数を示す。
【０２３１】
まず、図２６（ａ)を参照すると、Ｎが４ではなければ、本発明の第７実施例によるＡＩＤ割当方法は下記数式２４のように表される。
【０２３２】
【数２６】
2020099095.tif 000028
【０２３３】
ここで、Ａ［０：３−Ｎ］は任意の（３−Ｎ＋１）−ビットの二進数である。
【０２３４】
次に、図２６（ｂ)を参照すると、Ｎが４であれば、本発明の第７実施例によるＡＩＤ割当方法は下記数式２５のように表される。
【０２３５】
【数２７】
2020099095.tif 000029
【０２３６】
数式２４及び数式２５を参照すると、ＡＩＤのビット５からビット８までのビットが本発明の第７実施例によるＡＩＤ割当方法に従って設定される。本発明の第７実施例によると、ＡＩＤのビット５からビット８までのビットは、ＢＣＢ情報に基づく値からＢＳＳＩＤ情報を差し引いた値に基づいて決定される。この際、ＢＣＢ情報は部分ＢＳＳカラーを指し、ＢＳＳＩＤ情報はＢＳＳＩＤに基づくＮ−ビットの値を指す。より詳しくは、ＢＳＳＩＤに基づくＮ−ビットの値はＢＳＳＩＤのビット４４からビット４７までのビットの値とＢＳＳＩＤのビット４０からビット４３までのビットの値の排他的論理合であってもよい。
【０２３７】
数式２４及び数式２５の規則に従ってＡＩＤが割り当てられると、数式１の実施例によってＰＡＩＤを設定する際にＢＳＳＩＤに基づくＫ−ビット値（つまり、図１１のｙ）がＢＳＳＩＤに基づくＮ−ビット値と相殺される。よって、ＰＡＩＤの予め設定されたビット（つまり、ＰＡＩＤ［８−Ｎ＋１：８］）は該当フレームの意図された受信者に知られている部分ＢＳＳカラー値を示すようになる。よって、受信されたフレームがＶＨＴ  ＰＰＤＵであれば（そして、受信されたフレームから抽出されたグループＩＤが６３であれば）、端末は受信されたフレームから抽出されたＰＡＩＤの予め設定されたビットを端末に知られている部分ＢＳＳカラーと比較してｉｎｔｒａ−ＢＳＳフレームとｉｎｔｅｒ−ＢＳＳフレームの判断を行う。
【０２３８】
以下、本発明の第７実施例によるＡＩＤ割当方法が使用されれば、ＰＡＩＤの予め設定されたビット（つまり、ＰＡＩＤ［８−Ｎ＋１：８］）が部分ＢＳＳカラー値（つまり、ＢＣＢ［０：Ｎ−１］）を示すようになる理由をより詳細に説明する。まず、数式１を参照すると、ＰＡＩＤ［５：８］は以下の数式のように決定される。
【０２３９】
【数２８】
2020099095.tif 000030
【０２４０】
（Ｃａｓｅ  Ａ）Ｎが４ではない場合
Ｎが４でなければ、ＡＩＤ［５：８］は数式２４の規則に従って設定される。数式２４を参照すると、ＡＩＤ［５：８］はＡ［０：３−Ｎ］によって可変的な値に決定される。この際、ＡＩＤ［５：８］の上位Ｎ−ビット（ら）はＢＣＢ［０：Ｎ−１］に基づいて決定され、ＡＩＤ［５：８］の残りのビット（ら）はＡ［０：３−Ｎ］によって可変的な値を示す。
【０２４１】
（Ｃａｓｅ  Ａ−１）（ｄｅｃ（ＢＣＢ［０：Ｎ−１］）＊２＾（４−Ｎ）＋ｄｅｃ（Ａ［０：３−Ｎ］）−ｄｅｃ（ＢＳＳＩＤ［４４：４７］  ＸＯＲ  ＢＳＳＩＤ［４０：４３］））≧０である場合
数式２４を数数式２６に代入すると、以下の数式のようである。
【０２４２】
【数２９】
2020099095.tif 000031
【０２４３】
数式２７を参照すると、ＰＡＩＤ［８−Ｎ＋１：８］に影響を及ぼす要素はｄｅｃ（ＢＣＢ［０：Ｎ−１］）＊２＾（４−Ｎ）のみである。よって、ＰＡＩＤ［８−Ｎ＋１：８］はＢＣＢ［０：Ｎ−１］と同じ値を有するようになる。
【０２４４】
（Ｃａｓｅ  Ａ−２）（ｄｅｃ（ＢＣＢ［０：Ｎ−１］）＊２＾（４−Ｎ）＋ｄｅｃ（Ａ［０：３−Ｎ］）−ｄｅｃ（ＢＳＳＩＤ［４４：４７］  ＸＯＲ  ＢＳＳＩＤ［４０：４３］））＜０である場合
数式２４を数数式２６に代入すると、以下の数式のようである。
【０２４５】
【数３０】
2020099095.tif 000032
【０２４６】
数式２８を参照すると、ＰＡＩＤ［８−Ｎ＋１：８］に影響を及ぼす要素はｄｅｃ（ＢＣＢ［０：Ｎ−１］）＊２＾（４−Ｎ）のみである。よって、ＰＡＩＤ［８−Ｎ＋１：８］はＢＣＢ［０：Ｎ−１］と同じ値を有するようになる。
【０２４７】
（Ｃａｓｅ  Ｂ）Ｎが４である場合
Ｎが４であれば、ＡＩＤ［５：８］は数式２５の規則に従って設定される。
【０２４８】
（Ｃａｓｅ  Ｂ−１）  ｄｅｃ（ＢＣＢ［０：３］−ｄｅｃ（ＢＳＳＩＤ［４４：４７］  ＸＯＲ  ＢＳＳＩＤ［４０：４３］）≧０である場合
数式２５を数数式２６に代入すると、以下の数式のようである。
【０２４９】
【数３１】
2020099095.tif 000033
【０２５０】
数式２６を参照すると、ＰＡＩＤ［８−Ｎ＋１：８］はＢＣＢ［０：Ｎ−１］と同じ値を有するようになる（この際、Ｎは４である）。
【０２５１】
（Ｃａｓｅ  Ｂ−２）ｄｅｃ（ＢＣＢ［０：３］−ｄｅｃ（ＢＳＳＩＤ［４４：４７］  ＸＯＲ  ＢＳＳＩＤ［４０：４３］）＜０である場合
数式２５を数数式２６に代入すると、以下の数式のようである。
【０２５２】
【数３２】
2020099095.tif 000034
【０２５３】
数式３０を参照すると、ＰＡＩＤ［８−Ｎ＋１：８］はＢＣＢ［０：Ｎ−１］と同じ値を有するようになる（この際、Ｎは４である）。
【０２５４】
このように、全てのケースにおいて、ＰＡＩＤの設定されたビット、つまり、ＰＡＩＤ［８−Ｎ＋１：８］は部分ＢＳＳカラー値、つまり、ＢＣＢ［０：Ｎ−１］と同じ値を有するようになる。
【０２５５】
図２７は、本発明の第４実施例によるｉｎｔｒａ−ＢＳＳフレームとｉｎｔｅｒ−ＢＳＳフレームの判断方法を示す図である。図２７に示したｉｎｔｒａ−ＢＳＳフレーム及びｉｎｔｅｒ−ＢＳＳフレームの判断方法は、図２４を介して説明した第６実施例及び図２６を介して説明された第７実施例によってＡＩＤが割り当てられる場合に使用される。
【０２５６】
まず、端末は無線フレームを受信し、受信されたフレームからグループＩＤ及びＰＡＩＤ情報を抽出する（Ｓ２７１０）。受信されたフレームがＶＨＴ  ＰＰＤＵであれば、該当フレームのＲＸＶＥＣＴＯＲパラメータはグループＩＤ及びＰＡＩＤを含む。よって、受信されたフレームがＶＨＴ  ＰＰＤＵであれば、端末はＶＨＴ  ＰＰＤＵのプリアンブルからグループＩＤ及びＰＡＩＤ情報を抽出する。
【０２５７】
次に、端末は抽出されたグループＩＤがいかなる情報を示すのかを確認する（Ｓ２７２０）。より詳しくは、端末は抽出されたグループＩＤ情報が０であるのか或いは６３であるのかを確認する。図８の実施例で上述したように、グループＩＤ  ０は該当フレームが上りフレームであることを示す。また、グループＩＤ  ６３は該当フレームが下りフレームであることを示す。つまり、端末は抽出されたグループＩＤ情報を介し、該当フレームが上りフレームなのかまたは下りフレームなのかを識別する。
【０２５８】
抽出されたグループＩＤ情報が０であれば（つまり、上りフレームを指示すれば）、端末はフレームから抽出されたＰＡＩＤが端末が結合されたＢＳＳのＢＳＳＩＤの特定ビット値と一致するのか否かを確認する（Ｓ２７３０）。この際、ＢＳＳＩＤの特定ビット値はＢＢＳＩＤ［３９：４７］である。図８で上述したように、上りフレームであればＰＡＩＤはＢＳＳＩＤ［３９：４７］に設定されるため、端末は受信されたフレームのＰＡＩＤと端末が結合されたＢＳＳのＢＳＳＩＤ［３８：４７］が一致するのか否かに応じて該当フレームがｉｎｔｒａ−ＢＳＳフレームであるのかまたはｉｎｔｅｒ−ＢＳＳフレームであるのかを判断する。もし、ＰＡＩＤがＢＳＳＩＤ［３９：４７］と一致すれば、端末は受信されたフレームをｉｎｔｒａ−ＢＳＳフレームと判断する（Ｓ２７３２）。しかし、ＰＡＩＤがＢＳＳＩＤ［３９：４７］と一致しなければ、端末は受信されたフレームをｉｎｔｅｒ−ＢＳＳフレームと判断する（Ｓ２７３４）。
【０２５９】
一方、抽出されたグループＩＤ情報が６３であれば（つまり、下りフレームを指示すれば）、端末はフレームから抽出されたＰＡＩＤが端末に知られている部分ＢＳＳカラーと一致するのか否かを確認する（Ｓ２７４０）。この際、ＰＡＩＤ情報はＰＡＩＤの予め設定されたビット（ら）を指す。図２７の実施例において、ＰＡＩＤの予め設定されたビット（ら）はＰＡＩＤ［８−Ｎ＋１：８］を指す。本発明の他の実施例によると、Ｎ＝４である。また、端末に知られている部分ＢＳＳカラーは、該当端末が結合されたＡＰによって知られている部分ＢＳＳカラーを指す。本発明の第６実施例または第７実施例によってＡＩＤが割り当てられる場合、ＰＡＩＤが設定されればＢＳＳＩＤに基づくＫ−ビット値がＢＳＳＩＤに基づくＮ−ビット値と相殺される。よって、ＰＡＩＤの予め設定されたビット（つまり、ＰＡＩＤ［８−Ｎ＋１：８］）は該当フレームの意図された受信者に知られている部分ＢＳＳカラーを示すようになる。よって、端末は受信されたフレームのＰＡＩＤの予め設定されたビットと端末に知られている部分ＢＳＳカラーが一致するのか否かに応じて該当フレームがｉｎｔｒａ−ＢＳＳフレームであるのかまたはｉｎｔｅｒ−ＢＳＳフレームであるのかを判断する。もし、ＰＡＩＤ予め設定されたビットが端末に知られている部分ＢＳＳカラーと一致すれば、端末は受信されたフレームをｉｎｔｒａ−ＢＳＳフレームと判断する（Ｓ２７４２）。しかし、ＰＡＩＤ予め設定されたビットが端末に知られている部分ＢＳＳカラーと一致しなければ、端末は受信されたフレームをｉｎｔｅｒ−ＢＳＳフレームと判断する（Ｓ２７４４）。
【０２６０】
本発明の一実施例によると、抽出されたグループＩＤ情報が６３であれば、ｉｎｔｒａ−ＢＳＳフレーム及びｉｎｔｅｒ−ＢＳＳフレームの判断方法は、結合されたＡＰから最も最近に受信されたノンレガシーエレメントの「ＡＩＤに使用される部分ＢＳＳカラービット個数」フィールド値Ｎが０ではない場合にのみ行われる。本発明の他の実施例によると、抽出されたグループＩＤ情報が６３であれば、ｉｎｔｒａ−ＢＳＳフレーム及びｉｎｔｅｒ−ＢＳＳフレームの判断方法は、結合されたＡＰから最も最近に受信されたノンレガシーエレメントの「部分ＢＳＳカラービット指示」フィールドが１に設定される場合にのみ行われる。上述したように、「部分ＢＳＳカラービット指示」フィールドが１に設定されれば、部分ＢＳＳカラービットを利用したＡＩＤ割当規則が適用される。
【０２６１】
一方、上述した実施例によるＡＩＤ割当方法は、ＶＨＴ  ＳＴＡのＡＩＤを割り当てる場合にのみ適用される。ＡＩＤ割当候補値は限定されており、ＡＩＤ割当に部分ＢＳＳカラーが使用されれば、ＡＩＤに割り当てられる値が更に減るようになる。よって、本発明の実施例によると、上述したＡＩＤ割当方法をＶＨＴ  ＳＴＡに限定的に適用することで、全体ＳＴＡに対するＡＩＤ割当の余裕を確保することができる。
【０２６２】
前記のように無線ＬＡＮ通信を例に挙げて本発明を説明したが、本発明はこれに限らず、セルラー通信など他の通信システムでも同じく適用される。また、本発明の方法、装置及びシステムを特定実施例に関連して説明したが、本発明の構成要素、動作の一部または全部は、汎用ハードウェアアーキテクチャを有するコンピュータシステムを使用して具現される。
【０２６３】
上述した本発明の実施例は多様な手段を介して具現される。例えば、本発明の実施例は、ハードウェア、ファームウェア（ｆｉｒｍｗａｒｅ）、ソフトフェア、またはそれらの組み合わせによって具現される。
【０２６４】
ハードウェアによる具現の場合、本発明の実施例による方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現される。
【０２６５】
ファームフェアやソフトウェアによる具現の場合、本発明の実施例による方法は、上述した機能または動作を行うモジュール、手順または関数などの形態で具現される。ソフトウェアコードはメモリに貯蔵されてプロセッサによって具現される。前記メモリはプロセッサの内部または外部に位置し、既に公知の多様な手段によってプロセッサとデータを交換する。
【０２６６】
上述した本発明の説明は例示のためのものであって、本発明が属する技術分野における通常の知識を有する者は、本発明の技術的思想や必須的特徴を変更せずも他の具体的な形態に容易に変形可能であることを理解できるはずである。よって、上述した実施例は全ての面で例示的なものであって、限定的なものではないと解釈すべきである。例えば、単一型として説明されている各構成要素は分散されて実施されてもよく、同じく分散されていると説明されている構成要素も結合された形態で実施されてもよい。
【０２６７】
本発明の範囲は上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【産業上の利用可能性】
【０２６８】
本発明の多様な実施例はＩＥＥＥ  ８０２．１１システムを中心に説明されたが、その他の多様な形態の移動通信装置、移動通信システムなどに適用される。
【符号の説明】
【０２６９】
１００  ステーション
１１０  プロセッサ
１２０  通信部
１４０  ユーザインタフェース部
１５０  ディスプレーユニット
１６０  メモリ
２１０  プロセッサ
２２０  通信部
２６０  メモリ
３００  サーバ
【図１】
2020099095.tif 000036
【図２】
2020099095.tif 000037
【図３】
2020099095.tif 000038
【図４】
2020099095.tif 000039
【図５】
2020099095.tif 000040
【図６】
2020099095.tif 000041
【図７】
2020099095.tif 000042
【図８】
2020099095.tif 000043
【図９】
2020099095.tif 000044
【図１０】
2020099095.tif 000045
【図１１】
2020099095.tif 000046
【図１２】
2020099095.tif 000047
【図１３】
2020099095.tif 000048
【図１４】
2020099095.tif 000049
【図１５】
2020099095.tif 000050
【図１６】
2020099095.tif 000051
【図１７】
2020099095.tif 000052
【図１８】
2020099095.tif 000053
【図１９】
2020099095.tif 000054
【図２０】
2020099095.tif 000055
【図２１】
2020099095.tif 000056
【図２２】
2020099095.tif 000057
【図２３】
2020099095.tif 000058
【図２４】
2020099095.tif 000059
【図２５】
2020099095.tif 000060
【図２６】
2020099095.tif 000061
【図２７】
2020099095.tif 000062
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
プロセッサと、
通信ユニットと、を含む無線通信端末であって、
前記プロセッサが、
前記通信ユニットを介して無線フレームを受信し、
前記受信したフレームがベリーハイスループット（very high throughput, VHT）PHYプロトコルデータユニット（PPDU）であるとき、部分アソシエーションID（association ID, AID）の情報とグループIDの情報とを前記VHT PPDUのプリアンブルから取り出し、
前記VHT PPDUの前記グループIDが、前記フレームがダウンリンクフレームであることを示す予め指定された値と等しいとき、前記VHT PPDUの前記部分AIDの少なくともいくつかの情報が、前記端末に通知された基本サービスセット（BSS）カラーの部分BSSカラー値と一致するか否かを確認し、
前記VHT PPDUの前記部分AIDの前記少なくともいくつかの情報が前記端末に通知された前記BSSカラーの前記部分BSSカラー値と一致するか否かに応じて、前記受信したフレームがIntra-BSSフレームであるかInter-BSSフレームであるかを決定するように構成される、
無線通信端末。
【請求項２】
前記VHT PPDUの前記部分AIDが、前記VHT PPDUの意図された受信者に割り当てられたAIDと、前記受信者が関連付けられる第1BSSのBSSIDに基づくKビット値とを使用して決定され、
前記端末が関連付けられる第2BSSが、部分BSSカラービットが使用されるAID割り当て規則を適用するとき、前記第2BSSの割り当てられたAIDの予め指定されたNビットは、前記第2BSSのBSSカラーの部分BSSカラー値と前記第2BSSのBSSIDに基づくNビット値を使用することによって決定され、
前記NはKに等しい、
請求項１に記載の無線通信端末。
【請求項３】
前記第2BSSの割り当てられた前記AIDの前記予め指定されたNビットは、前記第2BSSの前記BSSカラーの前記部分BSSカラー値から前記第2BSSの前記BSSIDに基づく前記Nビット値を減算することによって取得される値に基づいて決定される、請求項２に記載の無線通信端末。
【請求項４】
前記第1BSSが、部分BSSカラービットが使用される前記AID割り当て規則を適用するとき、前記VHT PPDUの前記部分AIDの予め指定されたビットは、前記第1BSSのBSSカラーの部分BSSカラー値を表し、ここで前記Kビット値が前記第1BSSのBSSIDに基づくNビット値によって差し引かれる、請求項３に記載の無線通信端末。
【請求項５】
前記VHT PPDUの前記部分AIDの前記予め指定されたビットが前記端末に通知された前記BSSカラーの前記部分BSSカラー値と一致するとき、前記第1BSSは前記第2BSSのIntra-BSSであると決定される、請求項４に記載の無線通信端末。
【請求項６】
前記部分BSSカラー値が、前記BSSカラーの最小有効Nビットか又は最大有効Nビットの値であり、前記BSSIDに基づく前記Nビット値は前記BSSIDの第1の予め指定されたNビットと前記BSSIDの第2の予め指定されたNビットとの排他的論理和の値である、請求項４に記載の無線通信端末。
【請求項７】
前記Nは４である、請求項２に記載の無線通信端末。
【請求項８】
前記AID割り当て規則は、以下の式
【数１】
2020099095.tif 000063
であり、ここで前記BCBは前記BSSカラーであり、前記BSSIDはBSS識別子であり、Nは４である、請求項２に記載の無線通信端末。
【請求項９】
無線フレームを受信するステップと、
前記受信したフレームがベリーハイスループット（very high throughput, VHT）PHYプロトコルデータユニット（PPDU）であるとき、部分アソシエーションID（association ID, AID）の情報とグループIDの情報とを前記VHT PPDUのプリアンブルから取り出すステップと、
前記VHT PPDUの前記グループIDが、前記フレームがダウンリンクフレームであることを示す予め指定された値と等しいとき、前記VHT PPDUの前記部分AIDの少なくともいくつかの情報が、前記端末に通知された基本サービスセット（BSS）カラーの部分BSSカラー値と一致するか否かを確認するステップと、
前記VHT PPDUの前記部分AIDの前記少なくともいくつかの情報が前記端末に通知された前記BSSカラーの前記部分BSSカラー値と一致するか否かに応じて、前記受信したフレームがIntra-BSSフレームであるかInter-BSSフレームであるかを決定するステップと、を含む、
無線通信端末の無線通信方法。
【請求項１０】
前記VHT PPDUの前記部分AIDが、前記VHT PPDUの意図された受信者に割り当てられたAIDと、前記受信者が関連付けられる第1BSSのBSSIDに基づくKビット値とを使用して決定され、
前記端末が関連付けられる第2BSSが、部分BSSカラービットが使用されるAID割り当て規則を適用するとき、前記第2BSSの割り当てられたAIDの予め指定されたNビットは、前記第2BSSのBSSカラーの部分BSSカラー値と前記第2BSSのBSSIDに基づくNビット値を使用することによって決定され、
前記NはKに等しい、
請求項９に記載の無線通信方法。
【請求項１１】
前記第2BSSの割り当てられた前記AIDの前記予め指定されたNビットは、前記第2BSSの前記BSSカラーの前記部分BSSカラー値から前記第2BSSの前記BSSIDに基づく前記Nビット値を減算することによって取得される値に基づいて決定される、請求項１０に記載の無線通信方法。
【請求項１２】
前記第1BSSが、部分BSSカラービットが使用される前記AID割り当て規則を適用するとき、前記VHT PPDUの前記部分AIDの予め指定されたビットは、前記第1BSSのBSSカラーの部分BSSカラー値を表し、ここで前記Kビット値が前記第1BSSのBSSIDに基づくNビット値によって差し引かれる、請求項１１に記載の無線通信方法。
【請求項１３】
前記VHT PPDUの前記部分AIDの前記予め指定されたビットが前記端末に通知された前記BSSカラーの前記部分BSSカラー値と一致するとき、前記第1BSSは前記第2BSSのIntra-BSSであると決定される、請求項１２に記載の無線通信方法。
【請求項１４】
前記部分BSSカラー値が、前記BSSカラーの最小有効Nビットか又は最大有効Nビットの値であり、前記BSSIDに基づく前記Nビット値は前記BSSIDの第1の予め指定されたNビットと前記BSSIDの第2の予め指定されたNビットとの排他的論理和の値である、請求項１２に記載の無線通信方法。
【請求項１５】
前記Nは４である、請求項１０に記載の無線通信方法。
【請求項１６】
前記AID割り当て規則は、以下の式
【数２】
2020099095.tif 000064
であり、ここで前記BCBは前記BSSカラーであり、前記BSSIDはBSS識別子であり、Nは４である、請求項１０に記載の無線通信方法。
【外国語明細書】
2020099095000001.pdf